(57)【特許請求の範囲】
【請求項１】
第１タイプのサブフレームに対してチャネル推定あるいは測定を行うこと；および
前記第１タイプとは異なる第２タイプのものであると通知されるサブフレームに対してチャネル推定および測定をスキップすること、ここにおいて、前記第１タイプのサブフレームは、正規サブフレームを備え、前記第２タイプのサブフレームは、マルチキャスト／ブロードキャスト単一周波数ネットワーク（ＭＢＳＦＮ）サブフレームであると通知され、前記チャネル推定あるいは測定を行なうことおよびスキップすることは、少なくとも前記第１タイプのサブフレームおよび第２タイプのサブフレームを含む複数の無線フレームをカバーするビットマップを使用することで行われ、前記ビットマップは、前記第１タイプのサブフレームと前記第２タイプのサブフレームを識別するための少なくとも１つのビットを含む、
を備える、ワイヤレス通信のための方法。
【請求項２】
前記第２タイプのサブフレームに時分割多重化された前記第１タイプのサブフレームを受信することをさらに備える、請求項１に記載の方法。
【請求項３】
前記第１タイプのサブフレームに対して、当該サブフレームに含まれている基準信号に基づいて前記チャネル推定あるいは測定が行われる、請求項１に記載の方法。
【請求項４】
前記第１タイプのサブフレームおよび前記第２タイプのサブフレームが基地局により指定される、請求項１に記載の方法。
【請求項５】
第１タイプのサブフレームに対してチャネル推定あるいは測定を行う手段；および
前記第１タイプとは異なる第２タイプのものであると通知されるサブフレームに対してチャネル推定および測定をスキップする手段、ここにおいて、前記第１タイプのサブフレームは、正規サブフレームを備え、前記第２タイプのサブフレームは、マルチキャスト／ブロードキャスト単一周波数ネットワーク（ＭＢＳＦＮ）サブフレームであると通知され、前記チャネル推定あるいは測定を行なうことおよびスキップすることは、少なくとも前記第１タイプのサブフレームおよび第２タイプのサブフレームを含む複数の無線フレームをカバーするビットマップを使用することで行われ、前記ビットマップは、前記第１タイプのサブフレームと前記第２タイプのサブフレームを識別するための少なくとも１つのビットを含む、
を具備した、ワイヤレス通信のための装置。
【請求項６】
前記第１タイプのサブフレームに対して、当該サブフレームに含まれている基準信号に基づいて前記チャネル推定あるいは測定が行われる、請求項５に記載の装置。
【発明の詳細な説明】
【技術分野】
【０００１】
優先権の主張
本出願は、本発明の譲受人に譲渡され、参照により本明細書に組み込まれる、すべて「RELAY OPERATION TECHNIQUES IN LONG TERM EVOLUTION SYSTEMS」と題する、２００８年９月３０日に出願された米国仮出願第６１／１０１，５７１号、２００８年９月３０日に出願された米国仮出願第６１／１０１，６５６号、２００８年１０月２日に出願された米国仮出願第６１／１０２，３３７号、および２００８年１０月２０日に出願された米国仮出願第６１／１０６，９１７号の優先権を主張する。
【０００２】
本開示は、一般に通信に関し、より詳細には、ワイヤレス通信システムにおいて中継局の動作をサポートするための技法に関する。
【背景技術】
【０００３】
ワイヤレス通信システムは、ボイス、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートすることができる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムおよびシングルキャリアＦＤＭＡ（ＳＣ−ＦＤＭＡ）システムがある。
【０００４】
ワイヤレス通信システムは、いくつかのユーザ機器（ＵＥ）の通信をサポートすることができるいくつかの基地局を含むことができる。システムはまた、潜在的に費用のかかるワイヤードバックホールリンクの必要なしにシステムのカバレージと容量とを改善することができる中継局を含むことができる。中継局は、上流局（たとえば、基地局）から信号を受信し、受信した信号を処理して、信号中で送られたデータを復元し、復元されたデータに基づいて中継信号を生成し、中継信号を下流局（たとえば、ＵＥ）に送信することができる「デコードアンドフォワード」局とすることができる。
【０００５】
中継局は、バックホールリンク上で基地局と通信することができ、基地局にはＵＥのように見え得る。中継局はまた、アクセスリンク上で１つまたは複数のＵＥと通信することができ、（１つまたは複数の）ＵＥには基地局のように見え得る。しかしながら、中継局は、一般に、同じ周波数チャネル上で送信と受信とを同時に行うことができない。したがって、バックホールリンクとアクセスリンクとは時分割多重化され得る。さらに、システムは、中継局の動作に影響を及ぼし得るいくつかの要件を有することがある。その送信／受信制限ならびに他のシステム要件に照らして中継局の効率的な動作をサポートすることが望ましいことがある。
【発明の概要】
【０００６】
本明細書では、ワイヤレス通信システムにおいて中継局の動作をサポートするための様々な技法について説明する。一態様では、複数の無線フレーム内で少なくとも２つのタイプのサブフレームを識別するために、基地局および／または中継局により、ビットマップを送出することができる。たとえば、ビットマップは、そのビットマップでカバーされる各サブフレームが第１タイプなのか第２タイプなのかを示すことができる。第１タイプのサブフレームは、制御情報、基準信号、およびデータを運ぶ、正規サブフレームとすることができる。第２タイプのサブフレームは、（ｉ）制限された制御情報および制限された基準信号を運び、場合によってはデータを運ばない、マルチキャスト／ブロードキャスト単一周波数ネットワーク（ＭＢＳＦＮ）サブフレーム、あるいは、（ｉｉ）制御情報、基準信号、および／またはデータを運ばないブランクサブフレーム、とすることができる。ＵＥらは、それらの動作を制御するためにビットマップを用いることができる。たとえば、ＵＥは、第１タイプのサブフレームのためにチャネル推定または測定を行うことができ、第２タイプのサブフレームのためにチャネル推定および測定をスキップすることができる。
【０００７】
別の態様では、基地局は、基準信号を送信するために中継局で使用されないリソース上でデータおよび／または制御情報を送信することができる。これにより、中継局からの基準信号への干渉を回避でき、中継局と通信するＵＥらに対してパフォーマンスを改善できる。
【０００８】
本開示の様々な他の態様および特徴について、以下でさらに詳細に説明する。
【図面の簡単な説明】
【０００９】
【図１】ワイヤレス通信システムを示す図。
【図２】周波数分割複信（ＦＤＤ）のための例示的なフレーム構造を示す図。
【図３】時分割複信（ＴＤＤ）のための例示的なフレーム構造を示す図。
【図４】２つの例示的な正規サブフレームフォーマットを示す図。
【図５】２つの例示的なＭＢＳＦＮサブフレームフォーマットを示す図。
【図６】例示的なインターレース構造を示す図。
【図７Ａ】中継局を介したダウンリンク上でのデータ送信を示す図。
【図７Ｂ】中継局を介したアップリンク上でのデータ送信を示す図。
【図８】様々なタイプのサブフレームを搬送するビットマップを示す図。
【図９】基地局と中継局との間のシンボルタイミングオフセットを示す図。
【図１０】新しい制御チャネルを用いたダウンリンク送信を示す図。
【図１１】中継局による通信を示す図。
【図１２】同期ハイブリッド自動再送（ＨＡＲＱ）を用いたデータ送信を示す図。
【図１３】基地局と中継局との間のサブフレームタイミングオフセットを示す図。
【図１４】例示的な非対称ダウンリンク／アップリンク区分を示す図。
【図１５】ワイヤレス通信システム中でサブフレームタイプ情報をブロードキャストするためのプロセスを示す図。
【図１６】ワイヤレス通信システム中でサブフレームタイプ情報をブロードキャストするための装置を示す図。
【図１７】チャネル推定または測定を行うためのプロセスを示す図。
【図１８】チャネル推定または測定を行うための装置を示す図。
【図１９】基準信号への干渉を回避するためのプロセスを示す図。
【図２０】基準信号への干渉を回避するための装置を示す図。
【図２１】ワイヤレス通信システム中での通信を促進するためのプロセスを示す図。
【図２２】ワイヤレス通信システム中での通信を促進するための装置を示す図。
【図２３】基地局、中継局、およびＵＥのブロック図。
【詳細な説明】
【００１０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡ方式は、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技法は、上記のシステムおよび無線技術、ならびに他のシステムおよび無線技術に使用できる。明快のために、本技法のいくつかの態様について以下ではＬＴＥに関して説明し、以下の説明の大部分でＬＴＥ用語を使用する。
【００１１】
図１に、ＬＴＥシステムまたは何らかの他のワイヤレスシステムとすることができる、ワイヤレス通信システム１００を示す。システム１００は、いくつかの進化型ノードＢ（ｅＮＢ）と、中継局と、いくつかのＵＥのための通信をサポートすることができる他のシステムエンティティとを含むことができる。ｅＮＢは、ＵＥと通信する局とすることができ、基地局、ノードＢ、アクセスポイントなどとも呼ばれる。ｅＮＢは、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。ｅＮＢは、１つまたは複数の（たとえば、３つの）セルをサポートすることができる。
【００１２】
ｅＮＢは、マクロセル、ピコセル、フェムトセルおよび／または他のタイプのセルに通信カバレージを与えることができる。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、家庭）をカバーし、フェムトセルとの関連を有するＵＥ（たとえば、限定加入者グループ（ＣＳＧ）中のＵＥ）による限定アクセスを可能にする。マクロセルのためのｅＮＢをマクロｅＮＢと呼ぶ。ピコセルのためのｅＮＢをピコｅＮＢと呼ぶ。フェムトセルのためのｅＮＢをフェムトｅＮＢまたはホームｅＮＢと呼ぶ。図１では、ｅＮＢ１１０はマクロセル１０２のためのマクロｅＮＢであり得、ｅＮＢ１１４はピコセル１０４のためのピコｅＮＢであり得、ｅＮＢ１１６はフェムトセル１０６のためのフェムトｅＮＢであり得る。システムコントローラ１４０は、ｅＮＢのセットに結合し、これらのｅＮＢの調整および制御を行うことができる。
【００１３】
中継局１２０は、上流局（たとえば、ｅＮＢ１１０またはＵＥ１３０）からデータおよび／または他の情報の送信を受け、そのデータおよび／または他の情報の送信を下流局（たとえば、ＵＥ１３０またはｅＮＢ１１０）に送る局とすることができる。中継局は、リレー、リレーｅＮＢなどと呼ばれることもある。中継局はまた、他のＵＥに対する送信を中継するＵＥとすることができる。図１では、中継局１２０は、ｅＮＢ１１０とＵＥ１３０との間の通信を可能にするためにｅＮＢ１１０およびＵＥ１３０と通信することができる。
【００１４】
ＵＥ１３０、１３２、１３４および１３６はシステム全体に分散でき、各ＵＥは固定でも移動でもよい。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができる。ＵＥは、ダウンリンクおよびアップリンク上でｅＮＢおよび／または中継局と通信することができる。ダウンリンク（または順方向リンク）は、ｅＮＢから中継局への、あるいはｅＮＢまたは中継局からＵＥへの通信リンクを指す。アップリンク（または逆方向リンク）は、ＵＥからｅＮＢまたは中継局への、あるいは中継局からｅＮＢへの通信リンクを指す。図１では、ＵＥ１３２は、ダウンリンク１２２とアップリンク１２４とを介してｅＮＢ１１０と通信することができる。ＵＥ１３０は、アクセスダウンリンク１５２とアクセスアップリンク１５４とを介して中継局１２０と通信することができる。中継局１２０は、バックホールダウンリンク１４２とバックホールアップリンク１４４とを介してｅＮＢ１１０と通信することができる。
【００１５】
一般に、ｅＮＢは、任意の数のＵＥおよび任意の数の中継局と通信することができる。同様に、中継局は、任意の数のｅＮＢおよび任意の数のＵＥと通信することができる。簡単のために、以下の説明の大部分は、中継局１２０を介したｅＮＢ１１０とＵＥ１３０との間の通信についてのものである。
【００１６】
ＬＴＥは、ダウンリンク上では直交周波数分割多重（ＯＦＤＭ）を利用し、アップリンク上ではシングルキャリア周波数分割多重化（ＳＣ−ＦＤＭ）を利用する。ＯＦＤＭとＳＣ−ＦＤＭとは、周波数範囲を、一般にトーン、ビンなどとも呼ばれる複数（ＮFFT個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ、サブキャリアの総数（ＮFFT）はシステム帯域幅に依存する。たとえば、ＮFFTは、１．２５、２．５、５、１０または２０メガヘルツ（ＭＨｚ）のシステム帯域幅に対してそれぞれ１２８、２５６、５１２、１０２４または２０４８に等しくなり得る。
【００１７】
システムはＦＤＤまたはＴＤＤを利用することができる。ＦＤＤの場合、ダウンリンクとアップリンクには別々の周波数チャネルが割り振られる。ダウンリンク送信およびアップリンク送信は２つの周波数チャネル上で同時に送られ得る。ＴＤＤの場合、ダウンリンクとアップリンクは同じ周波数チャネルを共有する。ダウンリンク送信およびアップリンク送信は異なる時間間隔中の同じ周波数チャネル上で送られ得る。
【００１８】
図２に、ＬＴＥにおけるＦＤＤのために使用されるフレーム構造２００を示す。ダウンリンクおよびアップリンクの各々の送信タイムラインは無線フレームの単位に区分できる。各無線フレームは、所定の持続時間（たとえば、１０ミリ秒（ｍｓ））を有することができ、０〜９のインデックスをもつ１０個のサブフレームに区分できる。各サブフレームは２個のスロットを含むことができる。各無線フレームは、したがって、０〜１９のインデックスをもつ２０個のスロットを含むことができる。各スロットは、Ｌ個のシンボル期間、たとえば、（図２に示すように）通常の巡回プレフィックスの場合はＬ＝７個のシンボル期間、または拡張された巡回プレフィックスの場合はＬ＝６個のシンボル期間を含むことができる。各サブフレーム中の２Ｌ個のシンボル期間には０〜２Ｌ−１のインデックスが割り当てられ得る。ダウンリンク上では、ＯＦＤＭシンボルがサブフレームの各シンボル期間中で送られ得る。アップリンク上では、ＳＣ−ＦＤＭＡシンボルがサブフレームの各シンボル期間中で送られ得る。
【００１９】
ＬＴＥにおけるダウンリンク上では、ｅＮＢ１１０が、ｅＮＢ中の各セルについてシステム帯域幅の中心１．０８ＭＨｚにおいて１次同期信号（ＰＳＳ）と２次同期信号（ＳＳＳ）とを送信することができる。ＰＳＳおよびＳＳＳは、図２に示すように、それぞれ、通常の巡回プレフィックスをもつ各無線フレームのサブフレーム０および５中のシンボル期間６および５中で送られ得る。ＰＳＳおよびＳＳＳは、セル探索および捕捉のためにＵＥによって使用され得る。ｅＮＢ１１０は、いくつかの無線フレーム中のサブフレーム０のスロット１中のシンボル期間０〜３中で物理ブロードキャストチャネル（ＰＢＣＨ）を送信することができる。ＰＢＣＨは何らかのシステム情報を搬送することができる。
【００２０】
ｅＮＢ１１０は、図２に示すように、各サブフレームの第１のシンボル期間中で物理制御フォーマットインジケータチャネル（ＰＣＦＩＣＨ）を送信することができる。ＰＣＦＩＣＨは、サブフレーム中で制御チャネルのために使用されるいくつか（Ｍ個）のシンボル期間を搬送することができ、ここで、Ｍは、１、２、３または４に等しくなり得、サブフレームごとに変化し得る。ｅＮＢ１１０は、（図２に図示していない）各サブフレームの最初のＭ個のシンボル期間中で物理ＨＡＲＱインジケータチャネル（ＰＨＩＣＨ）と物理ダウンリンク制御チャネル（ＰＤＣＣＨ）とを送信することができる。ＰＨＩＣＨは、ＨＡＲＱをサポートするための情報を搬送することができる。ＰＤＣＣＨは、ＵＥのためのリソース割振り用の情報と、ダウンリンクチャネル用の制御情報とを搬送することができる。サブフレームの最初のＭ個のＯＦＤＭシンボルはＴＤＭ制御シンボルと呼ばれることがある。ＴＤＭ制御シンボルは、制御情報を搬送するＯＦＤＭシンボルとすることができる。ｅＮＢ１１０は、各サブフレームの残りのシンボル期間中で物理ダウンリンク共有チャネル（ＰＤＳＣＨ）を送信することができる。ＰＤＳＣＨは、ダウンリンク上でのデータ送信のためにスケジュールされたＵＥのためのデータを搬送することができる。
【００２１】
図３に、ＬＴＥにおけるＴＤＤのために使用されるフレーム構造３００を示す。ＬＴＥは、ＴＤＤのためのいくつかのダウンリンクアップリンク構成をサポートする。すべてのダウンリンクアップリンク構成について、サブフレーム０および５はダウンリンク（ＤＬ）のために使用され、サブフレーム２はアップリンク（ＵＬ）のために使用される。サブフレーム３、４、７、８および９は、それぞれダウンリンクアップリンク構成に応じてダウンリンクまたはアップリンクのために使用できる。サブフレーム１は、ダウンリンク制御チャネルならびにデータ送信のために使用されるダウンリンクパイロットタイムスロット（ＤｗＰＴＳ）と、無送信のガード期間（ＧＰ）と、ランダムアクセスチャネル（ＲＡＣＨ）またはサウンディング基準信号（ＳＲＳ）に使用されるアップリンクパイロットタイムスロット（ＵｐＰＴＳ）とから構成される３つの特殊フィールドを含む。サブフレーム６は、ダウンリンクアップリンク構成に応じて、ＤｗＰＴＳのみ、または３つすべての特殊フィールド、またはダウンリンクサブフレームを含むことができる。ＤｗＰＴＳ、ＧＰおよびＵｐＰＴＳは、様々なサブフレーム構成について様々な持続時間を有することができる。
【００２２】
ダウンリンク上で、ｅＮＢ１１０は、サブフレーム１および６のシンボル期間２中でＰＳＳを送信し、サブフレーム０および５の最後のシンボル期間中でＳＳＳを送信し、いくつかの無線フレーム中のサブフレーム０中でＰＢＣＨを送信することができる。ｅＮＢ１１０はまた、各ダウンリンクサブフレーム中でＰＣＦＩＣＨ、ＰＨＩＣＨ、ＰＤＣＣＨおよびＰＤＳＣＨを送信することができる。
【００２３】
ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。フレーム構造２００および３００も３ＧＰＰ  ＴＳ  ３６．２１１に記載されている。
【００２４】
ＬＴＥは、特定のＵＥへのユニキャスト情報の送信をサポートする。ＬＴＥまたは、すべてのＵＥへのブロードキャスト情報の送信と、ＵＥのグループへのマルチキャスト情報の送信とをサポートする。マルチキャスト／ブロードキャスト送信はＭＢＳＦＮ送信と呼ばれることもある。ユニキャスト情報を送るために使用されるサブフレームは、正規サブフレームと呼ばれることがある。マルチキャストおよび／またはブロードキャスト情報を送るために使用されるサブフレームは、ＭＢＳＦＮサブフレームと呼ばれることがある。
【００２５】
図４に、通常の巡回プレフィックスの場合の２つの例示的な正規サブフレームフォーマット４１０および４２０を示す。利用可能な時間周波数リソースはリソースブロックに区分できる。各リソースブロックは、１個のスロット中の１２個のサブキャリアをカバーすることができ、いくつかのリソース要素を含むことができる。各リソース要素は、１個のシンボル期間中の１個のサブキャリアをカバーすることができ、実数値または複素数値であり得る１個の変調シンボルを送るために使用できる。
【００２６】
サブフレームフォーマット４１０は、２つのアンテナを装備したｅＮＢによって使用され得る。セル固有の基準信号は、シンボル期間０、４、７および１１中で送られ得、チャネル推定およびチャネル状態または品質の測定のためにＵＥによって使用され得る。基準信号は、送信機および受信機によってアプリオリに知られる信号であり、パイロットと呼ばれることもある。セル固有の基準信号は、たとえば、セル識別情報（ＩＤ）に基づいて判断される１つまたは複数のシンボルシーケンスを用いて生成される、セルに固有の基準信号である。簡単のために、セル固有の基準信号は単に基準信号と呼ばれることがある。図４において、ラベルＲaをもつ所与のリソース要素について、アンテナａからそのリソース要素上で基準シンボルが送られることがあり、他のアンテナからそのリソース要素上で変調シンボルが送られないことがある。サブフレームフォーマット４２０は、４つのアンテナを装備したｅＮＢによって使用され得る。基準信号はシンボル期間０、１、４、７、８および１１中で送られ得る。
【００２７】
図４に示す例では、Ｍ＝３をもつ正規サブフレーム中で３個のＴＤＭ制御シンボルが送られる。ＰＣＦＩＣＨはシンボル期間０中で送られ得、ＰＤＣＣＨおよびＰＨＩＣＨはシンボル期間０〜２中で送られ得る。ＰＤＳＣＨは、サブフレームの残りのシンボル期間３〜１３中で送られ得る。
【００２８】
図５に、通常の巡回プレフィックスの場合の２つの例示的なＭＢＳＦＮサブフレームフォーマット５１０および５２０を示す。サブフレームフォーマット５１０は、２つのアンテナを装備したｅＮＢによって使用され得る。基準信号はシンボル期間０中で送られ得る。図５に示す例では、Ｍ＝１であり、ＭＢＳＦＮサブフレーム中で１つのＴＤＭ制御シンボルが送られる。サブフレームフォーマット５２０は、４つのアンテナを装備したｅＮＢによって使用され得る。基準信号はシンボル期間０および１中で送られ得る。図５に示す例では、Ｍ＝２であり、ＭＢＳＦＮサブフレーム中で２個のＴＤＭ制御シンボルが送られる。
【００２９】
一般に、ＰＣＦＩＣＨはＭＢＳＦＮサブフレームのシンボル期間０中で送られ得、ＰＤＣＣＨおよびＰＨＩＣＨはシンボル期間０〜Ｍ−１中で送られ得る。ブロードキャスト／マルチキャスト情報は、ＭＢＳＦＮサブフレームのシンボル期間Ｍ〜１３中で送られ得る。代替的に、シンボル期間Ｍ〜１３中で送信が送られないことがある。ｅＮＢは、たとえば、あらゆる無線フレームのサブフレームｔ中で、１０ｍｓの周期性をもつＭＢＳＦＮサブフレームを送信することができる。ｅＮＢは、どのサブフレームがＭＢＳＦＮサブフレームであるかを示すシステム情報をブロードキャストすることができる。
【００３０】
一般に、ＭＢＳＦＮサブフレームは、サブフレームの制御部分中で限られた基準信号と限られた制御情報とを搬送し、サブフレームのデータ部分中でマルチキャスト／ブロードキャストデータを搬送するまたは搬送しないことがあるサブフレームである。局（たとえば、ｅＮＢまたは中継局）は、ＵＥに対して（たとえば、システム情報を介して）サブフレームをＭＢＳＦＮサブフレームとして宣言することができる。これらのＵＥは、次いで、ＭＢＳＦＮサブフレームの制御部分中の基準信号と制御情報とを予想することができる。局は、ＭＢＳＦＮサブフレームのデータ部分中のブロードキャストデータを予想するように（たとえば、上位層シグナリングを介して）ＵＥに別々に通知することができ、ＵＥは、次いで、データ部分中のブロードキャストデータを予想するであろう。局は、ＭＢＳＦＮサブフレームのデータ部分中のブロードキャストデータを予想するようにＵＥに通知しないことを選択することができ、ＵＥは、データ部分中のブロードキャストデータを予想しないであろう。ＭＢＳＦＮサブフレームのこれらの特性は、以下で説明するように、リレー動作をサポートするために利用できる。
【００３１】
図４および図５に、ダウンリンクのために使用できるいくつかのサブフレームフォーマットを示す。たとえば、３つ以上のアンテナの場合に、他のサブフレームフォーマットを使用することもできる。
【００３２】
図６に、例示的なインターレース構造６００を示す。ＦＤＤの場合、インターレース構造６００はダウンリンクおよびアップリンクの各々のために使用できる。ＴＤＤの場合、インターレース構造６００はダウンリンクとアップリンクの両方のために使用できる。図６に示すように、０〜Ｓ−１のインデックスをもつＳ個のインターレースを定義することができ、ここで、Ｓは、６、８、１０、またはある他の値に等しくなり得る。各インターレースは、Ｓ個のフレームだけ離間したサブフレームを含むことができる。具体的には、インターレースｓは、サブフレームｓ、ｓ＋Ｓ、ｓ＋２Ｓなどを含むことができ、ここで、ｓ∈｛０，．．．，Ｓ−１｝である。このインターレースはＨＡＲＱインターレースと呼ばれることもある。
【００３３】
システムは、ダウンリンクおよびアップリンク上でのデータ送信のためにＨＡＲＱをサポートすることができる。ＨＡＲＱの場合、送信機は、パケットが受信機によって正しく復号されるまで、または何らかの他の終端条件に遭遇するまで、パケットの１つまたは複数の送信を送ることができる。ターゲット終端と呼ばれることがある、特定の数の送信の後にパケットが正しく復号され得るように、パケットのために変調および符号化方式（ＭＣＳ）を選択することができる。同期ＨＡＲＱの場合、パケットのすべての送信を単一のインターレースのサブフレーム中で送ることができる。非同期ＨＡＲＱの場合、パケットの各送信をスケジュールし、任意のサブフレーム中で送ることができる。
【００３４】
図７Ａに、中継局１２０を介したＨＡＲＱを用いたダウンリンク上でのデータ送信を示す。ｅＮＢ１１０は、ＵＥ１３０に送るデータを有することができ、ダウンリンク上でのデータ送信のためにＵＥ１３０をスケジュールすることができる。ｅＮＢ１１０は、サブフレームｔ1中のバックホールリンク上でダウンリンク（ＤＬ）許可とデータとを送ることができる。ダウンリンク許可は、割り当てられたリソース、選択された変調および符号化方式（ＭＣＳ）などを示すことができる。中継局１２０は、ｅＮＢ１１０からダウンリンク許可とデータ送信とを受信することができ、ダウンリンク許可に従ってデータ送信を処理することができる。復号結果に応じて、中継局１２０は、サブフレームｔ1＋Ｑ中で肯定応答（ＡＣＫ）または否定応答（ＮＡＫ）を送ることができ、ここで、Ｑは、ＨＡＲＱ応答のための遅延である。ｅＮＢ１１０は、ＮＡＫを受信した場合はサブフレームｔ1＋Ｓ中でデータを再送信することができ、ＡＣＫを受信した場合は新しいデータを送信することができ、ここで、Ｓは、インターレース中のサブフレームの数である。バックホールリンクについてのｅＮＢ１１０によるデータ送信および中継局１２０によるＡＣＫ／ＮＡＫフィードバックは同様の方法で続き得る。
【００３５】
アクセスリンクについては、中継局１２０は、好適な量だけサブフレームｔ1からオフセットしたサブフレームｔ2中でダウンリンク許可とデータとを送ることができる。たとえば、サブフレームｔ2は、中継局１２０がｅＮＢ１１０からのＵＥ１３０に向けられたデータを復号することに成功したサブフレームとすることができる。ＵＥ１３０は、中継局１２０からダウンリンク許可とデータ送信とを受け、ダウンリンク許可に従ってデータ送信を処理し、サブフレームｔ2＋Ｑ中でＡＣＫまたはＮＡＫを送ることができる。中継局１２０は、ＮＡＫを受信した場合はサブフレームｔ2＋Ｓ中でデータを再送信することができ、ＡＣＫを受信した場合は新しいデータを送信することができる。アクセスリンクについての中継局１２０によるデータ送信およびＵＥ１３０によるＡＣＫ／ＮＡＫフィードバックは同様の方法で続き得る。
【００３６】
図７Ｂに、中継局１２０を介したＨＡＲＱを用いたアップリンク上でのデータ送信を示す。ＵＥ１３０は、アップリンク上で送るデータを有することができ、サブフレームｔ3中でリソース要求を送ることができる。中継局１２０は、リソース要求を受け、アップリンク上でのデータ送信のためにＵＥ１３０をスケジュールし、サブフレームｔ3＋Ｑ中でアップリンク（ＵＬ）許可を送ることができる。ＵＥ１３０は、サブフレームｔ3＋Ｓ中のアップリンク許可に従ってデータ送信を送ることができる。中継局１２０は、ＵＥ１３０からのデータ送信を処理することができ、復号結果に応じてサブフレームｔ3＋Ｑ＋Ｓ中でＡＣＫまたはＮＡＫを送ることができる。ＵＥ１３０は、ＮＡＫを受信した場合はサブフレームｔ3＋２Ｓ中でデータを再送信することができ、ＡＣＫを受信した場合は新しいデータを送信することができる。アクセスリンクについてのＵＥ１３０によるデータ送信および中継局１２０によるＡＣＫ／ＮＡＫフィードバックは同様の方法で続き得る。
【００３７】
バックホールリンクについては、中継局１２０は、サブフレームｔ4中でリソース要求を送ることができる。ｅＮＢ１１０は、リソース要求を受信し、アップリンク上でのデータ送信のために中継局１２０をスケジュールし、サブフレームｔ4＋Ｑ中でアップリンク許可を送ることができる。中継局１２０は、サブフレームｔ4＋Ｓ中のアップリンク許可に従ってデータ送信を送ることができる。ｅＮＢ１１０は、中継局１２０からのデータ送信を処理することができ、サブフレームｔ4＋Ｑ＋Ｓ中でＡＣＫまたはＮＡＫを送ることができる。中継局１２０は、ＡＣＫを受信したのかＮＡＫを受信したのかに応じて、サブフレームｔ4＋２Ｓ中でデータを再送信するか、または新しいデータを送信することができる。バックホールリンクについての中継局１２０によるデータ送信およびｅＮＢ１１０によるＡＣＫ／ＮＡＫフィードバックは同様の方法で続き得る。
【００３８】
図７Ａおよび図７Ｂに、均等に離間したサブフレーム中でデータが送られ得、データを送るために使用されるサブフレームからの固定オフセットＱにおいてＡＣＫ情報が送られ得る、同期ＨＡＲＱを示す。ＬＴＥにおけるＦＤＤの場合、Ｓは８に等しくなり得、Ｑは４に等しくなり得る。データは、８個のサブフレームだけ離間し得る１つのインターレース中のサブフレーム中で送られ得る。ＬＴＥにおけるＴＤＤの場合、Ｓは１０に等しくなり得、Ｑは、可変であり得、選択されたダウンリンクアップリンク構成に依存し得る。ＳおよびＱは他の値を有することもできる。非同期ＨＡＲＱの場合、任意のサブフレーム中でデータを送ることができ、データを送るために使用されるサブフレームからの固定または可変オフセットにおいてＡＣＫ情報を送出することができる。ＳおよびＱは、非同期ＨＡＲＱならびにＴＤＤを用いたデータの異なる送信ごとに異なり得る。
【００３９】
ＨＡＲＱプロセスの数はリンクごとに定義できる。ＨＡＲＱプロセスは、パケットが正しく復号されるまで所与のインターレース上でパケットのすべての送信を搬送することができ、次いで、別のパケットの送信を搬送することができる。新しいパケットは、ＨＡＲＱプロセスが利用可能になったときに、そのプロセス上で送られ得る。
【００４０】
１．ブランクサブフレームまたは８ｍｓのＭＢＳＦＮサブフレームの使用
中継局１２０は、一般に、同じ周波数チャネル上で送信と受信とを同時に行うことができない。したがって、利用可能なサブフレームのいくつかのは、バックホールリンクのために割り振ることができ、バックホールサブフレームと呼ばれることがある。残りのサブフレームは、アクセスリンクのために割り振ることができ、アクセスサブフレームと呼ばれることがある。中継局１２０は、バックホールサブフレーム中でｅＮＢ１１０と通信することができ、アクセスサブフレーム中でＵＥ１３０と通信することができる。
【００４１】
一態様では、中継局１２０は、アクセスリンク上でバックホールサブフレームをブランクサブフレームとして構成することができる。１つの設計では、ブランクサブフレームは、送信、すなわち、基準信号、制御情報、およびデータを含まないことがある。中継局１２０は、バックホールダウンリンク上でｅＮＢ１１０をリッスンすることができるように各ブランクサブフレーム中で何も送信しないことがある。中継局１２０は、ＨＡＲＱを用いて送られるデータの周期性を一致させるためにＳ個のサブフレームの周期性をもつブランクサブフレームを送信することができる。１つの設計では、Ｓは、ＦＤＤの場合は８個のサブフレーム（または８ｍｓ）に等しくなり得、またＴＤＤの場合は１０個のサブフレーム（または１０ｍｓ）に等しくなり得る。ｅＮＢ１１０は、アクセスサブフレームをブランクサブフレームとして構成することもできる。ｅＮＢ１１０は、ダウンリンク上で干渉を発生することを回避するために、各ブランクサブフレーム中で何も送信しないことがある。ＵＥ１３０は、次いで、ｅＮＢ１１０のブランクサブフレーム中にｅＮＢ１１０からのより小さい干渉を観測し得る。
【００４２】
ブランクサブフレームは、リレー動作をサポートするために使用できる。ブランクサブフレームは、範囲拡張および制限付き関連付けのための干渉管理など、他の目的のためにも使用できる。範囲拡張は、ＵＥが、ＵＥによって検出されたすべてのｅＮＢのうち、より低い経路損失をもつｅＮＢに接続するシナリオである。これは、ＵＥが、何らかの他のｅＮＢよりも弱い信号をもつｅＮＢに接続する状況につながり得る。たとえば、図１では、ＵＥ１３４は、より低い経路損失とより低い受信信号品質とをもつピコｅＮＢ１１４に接続し得、マクロｅＮＢ１１０からの高い干渉を観測し得る。範囲拡張の場合、マクロｅＮＢ１１０は、ＵＥ１３４にデータを送るためにピコｅＮＢ１１４によって使用され得る一組のサブフレームを予約することができる。マクロｅＮＢ１１０は、予約済みサブフレームをブランクサブフレームとして構成することができる。ピコｅＮＢ１１４は、マクロｅＮＢ１１０によって使用されるサブフレームをブランクサブフレームとして宣言することもでき、その結果、ＵＥ１３４は、マクロｅＮＢ１１０からの高い干渉を測定しないようになる。
【００４３】
制限付き関連付けは、ＵＥがフェムトｅＮＢに近接し得るが、（たとえば、フェムトｅＮＢが別のユーザに属するために）フェムトｅＮＢにアクセスすることができないシナリオである。ＵＥは、次いで、より低い受信電力をもつ別のｅＮＢに接続することができる。たとえば、図１では、ＵＥ１３６は、フェムトｅＮＢ１１６に近接しているが、フェムトｅＮＢ１１６にアクセスすることができない。ＵＥ１３６は、次いで、マクロｅＮＢ１１０に接続し得、フェムトｅＮＢ１１６からの高い干渉を観測し得る。フェムトｅＮＢ１１６は、ＵＥ１３６への干渉を発生することを回避するために、いくつかのブランクサブフレームを送信することができる。ＵＥ１３６は、次いで、ブランクサブフレーム中でマクロｅＮＢ１１０と通信することができる。
【００４４】
ブランクサブフレームは、ネットワーク多入力多出力（ＭＩＭＯ）、高次ＭＩＭＯなどの技術をサポートするために新しい制御チャネルを送信するために使用することもできる。ネットワークＭＩＭＯは、複数のセルから１つまたは複数のＵＥへの送信を指す。ネットワークＭＩＭＯの場合、いくつかのサブフレームは、ブランクサブフレームとしてレガシーＵＥに通知され得、チャネル推定、干渉推定、測定、または他の目的のためにレガシーＵＥによって使用されないであろう。ネットワークＭＩＭＯのための送信は、これらのサブフレーム中で送られ得、レガシーＵＥに影響を及ぼさないであろう。
【００４５】
ＬＴＥは、現在、ＦＤＤの場合には１０ｍｓの周期性をもつＭＢＳＦＮサブフレームをサポートする。ＬＴＥは、現在、８ｍｓの周期性をもつ同期ＨＡＲＱをもサポートする。ＭＢＳＦＮサブフレームは、データ送信のために使用されるサブフレームと整合させることができない。たとえば、ＭＢＳＦＮサブフレームは、サブフレーム０、１０、２０などに対して宣言でき、データは、サブフレーム０、８、１６などの中でＨＡＲＱを用いて送ることができる。
【００４６】
別の態様では、ＨＡＲＱを用いて送られるデータの周期性を一致させるために、ＦＤＤの場合には８ｍｓの周期性をもつＭＢＳＦＮサブフレームをサポートすることができる。ＬＴＥ規格は、データの周期性を一致させるために８ｍｓのＭＢＳＦＮサブフレームおよび／または他の好適なＳ値をサポートするように変更できる。
【００４７】
中継局１２０は、いくつかのインターレースをバックホールリンクのために使用することができ、残りのインターレースをアクセスリンクのために使用することができる。バックホールリンクのためのインターレース中のサブフレームは、ＭＢＳＦＮサブフレームとして宣言できる。場合によっては、中継局１２０は、通常の区分から逸脱し得る。たとえば、中継局１２０は、バックホールリンクに割り振られたインターレースの一部であり得るいくつかのサブフレーム（たとえば、ＦＤＤ中のサブフレーム０および５）中でＰＳＳ、ＳＳＳ、およびＰＢＣＨを送信することができる。中継局１２０は、これらのサブフレームのためにＭＢＳＦＮサブフレームではなく正規サブフレームを使用することができる。１つの設計では、中継局１２０は、サブフレーム０および５のために使用される正規サブフレーム中でＰＳＳおよびＳＳＳのみを送信することができる。別の設計では、中継局１２０は、サブフレーム０および５のために使用される正規サブフレーム中でＴＤＭ制御シンボルならびにＰＳＳおよびＳＳＳを送信することができる。
【００４８】
別の態様では、中継局１２０またはｅＮＢ１１０によって使用される様々なタイプのサブフレームを搬送するためにビットマップを使用することができる。一般に、ビットマップは、任意の持続時間、たとえば、任意の数の無線フレームをカバーし得る。ビットマップは、ビットマップによってカバーされる各サブフレームのタイプを示すことができる。
【００４９】
図８に、Ｒ個の無線フレームｉ〜ｉ＋Ｒ−１のためのビットマップ８００の設計を示し、ここで、Ｒは２、４などに等しくなり得る。ビットマップは、ビットマップによってカバーされるサブフレームごとに１ビットを含むことができる。サブフレームごとの１ビットは、正規サブフレームを示すために第１の値（たとえば、「０」）に、またはＭＢＳＦＮサブフレームを示すために第２の値（たとえば、「１」）に設定できる。第２の値は、ＭＢＳＦＮサブフレームではなくブランクサブフレームが使用される場合はブランクサブフレームを示すこともできる。ビットマップにより、サポートされたサブフレームタイプのうちの１つに各サブフレームをフレキシブルに設定することが可能になる。１つの設計では、ビットマップは、４個の無線フレームをカバーすることができ、４０個のサブフレームに対して４０個のビットを含むことができる。ビットマップは、ブロードキャストチャネル（たとえば、ＰＢＣＨ）または何らかの他のチャネルを介して送ることができる。
【００５０】
別の設計では、サブフレームをインターレースの単位で割り振ることができる。ＭＢＳＦＮサブフレームとして（またはブランクサブフレームとして）指定されたサブフレームをもつ（１つまたは複数の）インターレースは、ブロードキャストチャネルを介して搬送できる。ＭＢＳＦＮサブフレームとして（またはブランクサブフレームとして）指定されたサブフレームは、他の方法で搬送することもできる。
【００５１】
ブランクサブフレームおよび／またはＭＢＳＦＮサブフレームは、シグナリング、たとえば、ビットマップを介してＵＥに搬送できる。ＵＥは、ブランクサブフレームおよび／またはＭＢＳＦＮサブフレームに気づくことができる。ＵＥは、ブランクサブフレーム中で基準信号を予想することができず、ＭＢＳＦＮサブフレーム中で限られた基準信号を予想することができる。ＵＥは、（周波数内および周波数間）測定、チャネル推定、および干渉推定のためにブランクサブフレームを使用することができない。ＵＥは、正規サブフレームに基づいて測定、チャネル推定、および干渉推定を実行することができる。ＵＥは、測定、チャネル推定、および干渉推定のためにＭＢＳＦＮサブフレームを使用するまたは使用しないことがある。ＵＥは、正規サブフレームおよび場合によってはＭＢＳＦＮサブフレーム中の基準信号に基づいてチャネル推定を実行することができる。
【００５２】
ＵＥは、正規サブフレームおよび場合によってはＭＢＳＦＮサブフレームの適切な一部分に基づいて干渉推定を実行することができる。干渉は、（ｉ）ＭＢＳＦＮサブフレーム内のＴＤＭ制御シンボルのＴＤＭ構造のためにＭＢＳＦＮサブフレームにわたって、および（ｉｉ）ＭＢＳＦＮサブフレームのＴＤＭ構造のためにＭＢＳＦＮサブフレームと他のサブフレームとの間で変動し得る。ＵＥは、干渉の変動を考慮に入れることによって干渉推定を実行することができる。たとえば、ＯＦＤＭシンボル０が他のＯＦＤＭシンボルよりも高い干渉を有することをＵＥが知っている場合、ＵＥは、ＯＦＤＭシンボル０および他のＯＦＤＭシンボルについて別々に干渉を推定することができる。ＵＥは、基準信号に基づいて干渉推定を実行することができる。ＵＥは、ＯＦＤＭシンボル０中の基準信号のみを使用してＯＦＤＭシンボル０の干渉推定値を取得することができる。ＵＥは、他のＯＦＤＭシンボル中で送られる基準信号を使用してこれらのＯＦＤＭシンボルの干渉推定値を取得することができる。
【００５３】
２．ＭＢＳＦＮサブフレームおよび時間オフセット
ｅＮＢ１１０は、各サブフレームの最初のＭ個のシンボル期間中でＴＤＭ制御シンボルを送信することができる。中継局１２０は、各サブフレームの最初のＭ個のシンボル期間中でＴＤＭ制御シンボルを送信することもできる。中継局１２０は、ｅＮＢ１１０からＴＤＭ制御シンボルを受信することと、そのＴＤＭ制御シンボルをそのＵＥに送信することとを同時に行うことができないことがある。
【００５４】
別の態様では、中継局１２０のタイミングは、ｅＮＢ１１０のタイミングからＮ個のシンボル期間だけオフセットされ得、ここで、Ｎは好適な値とすることができる。タイミングオフセットは、中継局１２０のＴＤＭ制御シンボルおよび／または基準信号がｅＮＢ１１０のものと重複しないように選択できる。
【００５５】
図９に、ｅＮＢ１１０と中継局１２０との間のシンボルタイミングオフセットの設計を示す。一般に、中継局１２０のタイミングは、ｅＮＢ１１０のタイミングに対してＮ個のシンボル期間だけ（図９に示すように）進めるまたは遅らせることができる。タイミングオフセットにより、中継局１２０はｅＮＢ１１０からＴＤＭ制御シンボルを受信することが可能になる。
【００５６】
ｅＮＢ１１０は、ｅＮＢ１１０のサブフレームｔ中で中継局１２０に基準信号（ＲＳ）とデータとを送信することができる。中継局１２０は、中継局１２０のサブフレームｑ中でＵＥとして振る舞うことができ、基準信号、制御情報および／またはデータをそのＵＥに送信することができない。中継局１２０は、そのサブフレームｑをＭＢＳＦＮサブフレームとして構成することができ、サブフレームｑ中で１つまたは複数のＴＤＭ制御シンボルを送信することができる。これにより、中継局１２０がそのＵＥに基準を送信する必要があるシンボルの数を減らすことができ、中継局１２０は、サブフレームｔ中でｅＮＢ１１０によって送信されたより多くのシンボルをリッスンすることが可能になる。ＭＢＳＦＮサブフレームは、中継局１２０とｅＮＢ１１０との間のより効率的なタイミングオフセットの選択を可能にし得る。
【００５７】
図９に示すように、中継局１２０は、（中継局１２０のサブフレームｑ＋１に対応する）サブフレームｔ中の最後のＮ個のＯＦＤＭシンボル中にその（１つまたは複数の）ＴＤＭ制御シンボル、基準信号および／またはデータを送信することができるので、サブフレームｔ中でｅＮＢ１１０から最初の１４−Ｎ個のＯＦＤＭシンボルのみを受信することができる。中継局１２０は、図５中のＭＢＳＦＮサブフレームフォーマット５１０を用いて単一のＴＤＭ制御シンボルを送信することができ、Ｎは、１個に等しくなり得る。１つの設計では、ダウンリンク上で、ｅＮＢ１１０は、サブフレームｔの最初の１４−Ｎ個のＯＦＤＭシンボル内で中継局１２０にデータと基準信号とを送ることができる。インターリービング方式は、（１４個のＯＦＤＭシンボルすべてではなく）最初の１４−Ｎ個のＯＦＤＭシンボルにわたって中継局１２０に送信されるデータをインターリーブすることができる。同様に、アップリンク上で、中継局１２０は、（１４個のＯＦＤＭシンボルすべてではなく）１４−Ｎ個のＯＦＤＭシンボル中でｅＮＢ１１０にデータを送ることができる。インターリービング方式は、中継局１２０によって送られるデータを１４−Ｎ個のＯＦＤＭシンボルにわたって拡散することができる。ダウンリンクとアップリンクのいずれの場合も、Ｎ個のシンボル期間のタイミングオフセットをもつ１４−Ｎ個のＯＦＤＭシンボルにわたるインターリービングは、データパフォーマンスを改善することができる。
【００５８】
１つの設計では、連続するサブフレームをｅＮＢ１１０と中継局１２０との間の通信のために使用することができる。これにより、Ｎ個のＯＦＤＭシンボルが、各サブフレーム中ではなく、ただ１つのサブフレーム中で失われることになる。たとえば、中継局１２０が、Ｋ個の連続するサブフレームをブランクサブフレームとしてマークし、Ｎ個のシンボルのタイミングアドバンスを有する場合、ｅＮＢ１１０のＫ−１個のサブフレームがあり、その間、中継局１２０は、いかなる基準信号、制御情報またはデータをも送信せず、次いで、すべてのシンボル期間中でｅＮＢ１１０をリッスンすることが可能である。これらのＫ−１個のサブフレームに続くサブフレームでは、中継局１２０は、最後のＮ個のＯＦＤＭシンボル中で送信することができ、したがって１４−Ｎ個のシンボルのみをリッスンすることが可能である。中継局１２０は、Ｋ個のサブフレームをブランクサブフレームではなくＭＢＳＦＮサブフレームとしてマークし、各ＭＢＳＦＮサブフレーム中のただ１つのＴＤＭ制御シンボル上で送信する場合、最後のサブフレーム中のＮ個のＯＦＤＭシンボルと他のＫ−１個のサブフレーム中の１個のＯＦＤＭシンボルとを失うことがある。
【００５９】
８ｍｓの周期性をもつＭＢＳＦＮサブフレームがサポートされる場合、ｅＮＢ１１０は、８ｍｓのＨＡＲＱタイムラインに従って中継局１２０に送信することができる。中継局１２０は、ｅＮＢ１１０が中継局１２０に送信するサブフレームに対してＭＢＳＦＮサブフレームを宣言することができる。１０ｍｓの周期性をもつＭＢＳＦＮサブフレームがサポートされる場合、ｅＮＢ１１０は、１０ｍｓのＨＡＲＱタイムラインに従って中継局１２０に送信することができる。ｅＮＢ１１０は、次いで、８ｍｓのＵＥと１０ｍｓの中継局とのための（たとえば、ダウンリンクおよびアップリンク制御、データなどのための）リソースが衝突しないようにすることができる。アップリンク制御リソースの場合、ｅＮＢ１１０は、中継局およびＵＥからの復調基準信号（ＤＭＲＳ）のために様々なオフセットを使用することができる。あるいは、中継局およびＵＥは周波数分割多重（ＦＤＭ）とすることができる。
【００６０】
ＭＢＳＦＮサブフレームまたはブランクサブフレームおよび時間オフセットは、上述のように、リレー動作をサポートするために使用できる。ＭＢＳＦＮサブフレームまたはブランクサブフレームおよび時間オフセットは、たとえば、範囲拡張および制限付き関連付けのための干渉管理のためにも使用できる。
【００６１】
３．ＭＢＳＦＮサブフレームおよび新しい制御チャネル
別の態様では、ｅＮＢ１１０は、中継局１２０が送信していない時間中、新しい制御チャネル、基準信号、およびデータを中継局１２０に送信することができる。これにより、次いで、中継局１２０は、制御チャネルを受信できるようになる。中継局１２０は、そのようなサブフレームをＭＢＳＦＮサブフレームとして構成することができ、その結果、中継局１２０は、ＴＤＭ制御シンボルのみを送信することができ、ｅＮＢ１１０をリッスンするために残りのシンボルを使用することができる。
【００６２】
図１０に、新しい制御チャネルを用いたｅＮＢ１１０によるダウンリンク送信の設計を示す。ｅＮＢ１１０は、サブフレームｔ中で中継局１２０に送信し、サブフレームｔ＋１中でそのＵＥに送信することができる。中継局１２０は、（中継局１２０のサブフレームｑに対応し得る）サブフレームｔ中でｅＮＢ１１０から受信することができ、（中継局１２０のサブフレームｑ＋１に対応し得る）サブフレームｔ＋１中でそのＵＥに送信することができる。中継局１２０のタイミングは、ｅＮＢ１１０のタイミングと整合させることができる。
【００６３】
図１０に示す設計では、ｅＮＢ１１０は、サブフレームｔの最初のＭ個のシンボル期間中でＴＤＭ制御シンボルを送信するまたは送信しないことがある。ｅＮＢ１１０は、サブフレームｔの残りのシンボル期間中で新しい制御チャネルならびにデータを中継局１２０に送信することができる。ＰＣＦＩＣＨに対してデフォルト値（たとえば、Ｍ＝３）を仮定することができ、またはＰＣＦＩＣＨを制御チャネルの１つとして送ることができる。ｅＮＢ１１０は、（たとえば、図４に示すように）正規サブフレームのためのフォーマットまたは新しいフォーマットを使用して基準信号（ＲＳ）を送信することもできる。ｅＮＢ１１０は、サブフレームｔ中で他のＵＥおよび／または他の中継局にサービスすることもできる。中継局１２０は、たとえば、ＭＢＳＦＮサブフレームフォーマットを使用してサブフレームｔの最初のＭ個のシンボル期間中でそのＴＤＭ制御シンボルを送信することができる。中継局１２０は、次いで、サブフレームｔの残りのシンボル期間中でｅＮＢ１１０からの送信を受けるように切り替えることができる。
【００６４】
ｅＮＢ１１０は、中継局１２０が送信するよう義務づけられているサブフレーム中で中継局１２０に送信することができる。たとえば、ｅＮＢ１１０は、ＰＳＳおよびＳＳＳを送信することができる中継局１２０のサブフレーム０および５中で送信することができる。ｅＮＢ１１０は、次いで、中継局１２０が送信していないＯＦＤＭシンボル中で中継局１２０に制御チャネルとデータとを送信することができる。ｅＮＢ１１０は、中継局１２０による義務づけられた送信に気づくことができ、したがって、これらの義務づけられた送信中に中継局１２０に送信することを回避することができる。
【００６５】
ＭＢＳＦＮサブフレームおよび新しい制御チャネルはまた、（たとえば、範囲拡張および制限付き関連付けのための）干渉管理のためと、ネットワークＭＩＭＯなどの技術をサポートするためとに使用できる。たとえば、支配的干渉物は、数個のサブフレームをＭＢＳＦＮサブフレームとして構成することができる。これらのサブフレームでは、より弱いｅＮＢは、支配的干渉物によって使用されないシンボル期間中でそのＵＥと通信することができる。
【００６６】
４．サブフレーム０および５を扱うための機構
中継局１２０は、その動作に影響を及ぼし得る様々な制限を有し得る。たとえば、中継局１２０は、図１に示すように、バックホールダウンリンクおよびアップリンクを介してｅＮＢ１１０と通信することができ、アクセスダウンリンクおよびアップリンクを介してＵＥ１３０と通信することもできる。中継局１２０は、一般に、同じ周波数チャネル上で送信と受信とを同時に行うことができないので、バックホールリンクおよびアクセスリンクは時分割多重とすることができる。中継局１２０は、次いで、各サブフレーム中のバックホールリンク上のみでまたはアクセスリンク上のみで通信することが可能である。
【００６７】
ＬＴＥは、ダウンリンク上で非同期ＨＡＲＱをサポートし、アップリンク上で同期ＨＡＲＱをサポートする。ＨＡＲＱの場合、データの送信は、サブフレームｔ中で送られ得、誤って受信され得る。データの再送信は、非同期ＨＡＲＱの場合は任意のサブフレーム中で送られ得るか、または同期ＨＡＲＱの場合は特定のサブフレーム（たとえば、サブフレームｔ＋８）中で送信され得る。同期ＨＡＲＱは、したがって、再送信のために使用できるサブフレームを制限することができる。
【００６８】
中継局１２０は、バックホールサブフレームをＭＢＳＦＮサブフレームとしてまたはブランクサブフレームとして宣言することができる。これにより、図５に示すように、中継局１２０は、制御情報および基準信号の最小量を送信できるようになる。しかしながら、ＭＢＳＦＮサブフレームは、（ＬＴＥ  Ｒｅｌｅａｓｅ  ８の場合のように、８ｍｓのＭＢＳＦＮサブフレームがサポートされていない場合）１０ｍｓの周期性に制限され得る。中継局１２０は、サブフレーム０および５中でＰＳＳおよびＳＳＳを送信する必要があり得る。中継局１２０の様々な制限は、いくつかの方法で対処できる。
【００６９】
図１１に、１０ｍｓのタイムラインを用いた中継局１２０による通信の設計を示す。この設計では、中継局１２０は、ｅＮＢ１１０と通信するための各無線フレーム中にいくつかのバックホールサブフレームと有し、ＵＥ１３０と通信するための各無線フレーム中にいくつかのアクセスサブフレームとを有することができる。サブフレーム０および５は、中継局１２０がこれらのサブフレーム中でＰＳＳとＳＳＳとを送信することができるようにアクセスサブフレームとすることができる。中継局１２０は、各バックホールサブフレーム中でｅＮＢ１１０との間で送信および／または受信することができる。中継局１２０は、各アクセスサブフレーム中でＵＥ１３０との間で送信および／または受信することができる。中継局１２０は、バックホールサブフレームを、（図１１に示すように）１０ｍｓの周期性を有し得るＭＢＳＦＮサブフレームとして、またはブランクサブフレームとして宣言することができる。
【００７０】
図１１に示す例では、各無線フレームのダウンリンク中のサブフレーム０、４および５、ならびにアップリンク中のサブフレーム４、８および９は、アクセスサブフレームとすることができる。各無線フレームのダウンリンク中のサブフレーム１、２、３、６、７、８および９、ならびにアップリンク中のサブフレーム０、１、２、３、５、６および７は、バックホールサブフレームとすることができる。アクセスダウンリンクの場合、中継局１２０は、それぞれ、サブフレーム０、４および５中でＵＥ１３０にデータを送信することができ、サブフレーム４、８および９中でＵＥ１３０からＡＣＫ情報（たとえば、ＡＣＫまたはＮＡＫ）を受信することができる。非同期ＨＡＲＱはダウンリンクのために使用されるので、中継局１２０はサブフレーム０、４および５中で再送信を送ることができる。アクセスダウンリンクは、１０ｍｓのタイムラインを用いて動作することができる。たとえば、中継局１２０は、所与の無線フレームのサブフレーム０中で送信を送り、サブフレーム４中でＮＡＫを受け、次いで、次の無線フレームのサブフレーム０中で再送信を送ることができる。
【００７１】
アクセスアップリンクの場合、ＵＥ１３０は、それぞれ、サブフレーム４、８および９中で中継局１２０にデータを送ることができ、サブフレーム８、２および３中で中継局１２０からＡＣＫ情報を受けることができる。中継局１２０は、レガシーＵＥのために第１の送信をターゲッティングすることができ、新しいＵＥのために１０ｍｓのタイムラインを用いて動作することができる。１つの設計では、第１の送信が不成功の場合、ＵＥ１３０は、他のサブフレーム中で送信するように構成できる。同期ＨＡＲＱはアップリンクのために使用されるので、ＵＥ１３０は特定のサブフレーム中で再送信を送ることができる。たとえば、ＵＥ１３０は、所与の無線フレームのサブフレーム４中でパケットの送信を送ることができ、サブフレーム８中でＡＣＫ情報を受けることができる。サブフレーム８はＭＢＳＦＮサブフレームであるので、このサブフレームがバックホールダウンリンクのために予約されていたとしても、中継局１２０は、このサブフレーム中のアクセスダウンリンク上でＡＣＫ情報を送出することができる。ＵＥ１３０は、サブフレーム８中でＮＡＫを受けることができ、後続のサブフレーム２中でデータを再送信することができる。しかしながら、このアップリンクサブフレームはバックホールアップリンクのために予約されていることがある。この場合、中継局１２０は、（ｉ）ＵＥ１３０をリッスンし、そのアップリンク送信をキャンセルするか、または（ｉｉ）バックホールアップリンク中で送信を続け、ＵＥ再送信がアクセスアップリンクのためのサブフレームと一致するまで再送信を無視することができる。
【００７２】
別の設計では、「ＡＣＫアンドサスペンド」プロシージャを使用することができる。たとえば、中継局１２０は、ある送信のターゲット終端を用いてアップリンク上でＵＥ１３０をスケジュールすることができる。ＵＥ１３０はパケットの送信を送ることができる。中継局１２０が（たとえば、中継局１２０がバックホールリンク上でリッスンしていることがあるので）この送信のためのＡＣＫ情報を送出することができない場合、ＵＥ１３０は、これを暗黙的ＡＣＫとして扱うことができ、その送信を中断することができる。しかしながら、ＵＥ１３０はパケットを廃棄しない。中継局１２０がパケットを誤って復号した場合、中継局１２０は、その後、割当てを送信することが可能なサブフレーム中でパケットの第２の送信をスケジュールすることができ、次いで、暗黙的ＡＣＫによってカバーされた中断が取り消され得る。ｅＮＢ１１０がアップリンク上で中継局１２０をスケジュールするとき、同様のシナリオが生じ得る。中継局１２０は、パケットを送ることができるが、アクセスリンク上でＵＥ１３０に送信していることがあるので、ｅＮＢ１１０からＡＣＫ情報を受けることができないことがある。中継局１２０は、それを暗黙的ＡＣＫとして扱うことができるが、パケットを廃棄することはできない。ｅＮＢ１１０がパケットを誤って復号した場合、ｅＮＢ１１０は、アップリンク上でパケットを再送信するように中継局１２０をスケジュールすることができる。
【００７３】
図１２に、送信機会に基づいたターゲット終端の選択を示す。図１２に、図１１に示した区分とは異なる、アクセスリンクとバックホールリンクとの間の区分を示す。図１２に示す例では、ダウンリンク中のサブフレーム０、２、４、５、６および８、ならびにアップリンク中のサブフレーム０、１、３、４および８はアクセスリンクのために使用され、残りのサブフレームはバックホールリンクのために使用される。中継局１２０は、バックホールサブフレームをブランクサブフレームとしてマークすることができ、これらのサブフレーム中で制御情報またはデータをそのＵＥに送信することができない。１つの設計では、ＵＥ１３０は、中継局１２０にとって利用可能なＡＣＫ送信機会に基づいて判断されるターゲット終端を用いてパケットを送ることができる。ＡＣＫ送信機会は、（同期ＨＡＲＱ要件のために）ＡＣＫ情報を送出することができ、かつ使用可能であるサブフレームに、対応し得る。図１２に示す例では、ＵＥ１３０は、無線フレームｉのサブフレーム０中でパケットの送信を開始することができ、サブフレーム８中でデータ送信機会を有することができるが、次の無線フレームｉ＋１のサブフレーム６中でデータ送信機会を有することができない。中継局１２０は、無線フレームｉのサブフレーム４中ならびに次の無線フレームのサブフレーム２中でＡＣＫ送信機会を有することができる。中継局１２０は、次いで、ＵＥ１３０に対するパケットのために２つの送信のターゲット終端を選択することができる。ＵＥ１３０はまた、図１２に示すように、無線フレームｉのサブフレーム１中でパケットの送信を開始することができ、サブフレーム９中にデータ送信機会がないので１つの送信のターゲット終端を有することができる。
【００７４】
中継局１２０は、たとえば、図１２中の最初の２つの例で示すように、ＵＥ１３０によるデータの各送信後にＡＣＫ情報を送出することができる。別の設計では、中継局１２０は、データの各送信後にＡＣＫ情報を送出することができないことがあるが、次のＡＣＫ送信機会においてＡＣＫ情報を送出することができる。たとえば、ＵＥ１３０は、図１２中の第３の例で示すように、無線フレームｉのサブフレーム３中でパケットの第１の送信を送り、サブフレーム７中でＡＣＫ情報を受けず、次の無線フレームｉ＋１のサブフレーム１中でパケットの第２の送信を送り、次の無線フレームのサブフレーム５中でパケットのためのＡＣＫ情報を受けることができる。中継局１２０は、アップリンクリソースを効率的に利用するため、パケットのために２つの送信のターゲット終端を選択することができる。
【００７５】
一般に、パケットのためのターゲット終端は、パケットを送るために使用できない第１のサブフレームに基づいて、あるいはＡＣＫ情報が送信および／または受信できるときに基づいて、判断できる。１つの設計では、ＡＣＫ情報をパケットの各送信後に送ることができる。この設計では、ターゲット終端は、ＡＣＫ送信機会がパケットのために利用可能でない第１のサブフレームに基づいて選択できる。別の設計では、ＡＣＫ情報を遅延させることができる。この設計では、パケットのためのターゲット終端は、Ｋ個の送信の後にＡＣＫ送信機会がパケットのために利用可能である場合、Ｋ個の送信とすることができ、ここで、Ｋは１以上の整数値とすることができる。図１２に示す例示的な区分では、中継局１２０は、（ｉ）サブフレーム１、４または８中で開始して送られるパケットのために１個の送信のターゲット終端を選択し、（ｉｉ）サブフレーム０または３中で開始して送られるパケットのために２個の送信のターゲット終端を選択することができる。
【００７６】
別の設計では、ＵＥ１３０は、第１の送信上の各パケットのターゲット終端の形でパケットを中継局１２０に送ることができる。この場合、中継局１２０は、再送信のために他のサブフレームを監視する必要がないであろう。第１の送信上で終端しないパケットの場合、ＵＥ１３０は、同期ＨＡＲＱに従って再送信を送ることができる。中継局１２０は、ｅＮＢ１１０をリッスンする代わりに、バックホールサブフレーム中でＵＥ１３０によって送られた再送信を受けることができる。代替的に、中継局１２０は、バックホールサブフレーム中でＵＥ１３０によって送られた再送信を無視することができ、アクセスサブフレーム中で送られる後続の再送信を待つことができ、これはより長い待ち時間を生じることがある。一般に、中継局１２０は、可能な場合はいつでもＵＥ１３０からの再送信を受けることができ、理由は何であれ受信できない再送信を無視することができる。
【００７７】
図１２に示す例では、中継局１２０は、類似の方法でサブフレーム１、３、７および９中のバックホールダウンリンクならびにサブフレーム２、５、６、７および９中のバックホールアップリンクを介してｅＮＢ１１０と通信することができる。バックホールダウンリンクの場合、ｅＮＢ１１０は、それぞれ、サブフレーム１および３中で中継局１２０にデータを送信することができ、サブフレーム５および７中でＡＣＫ情報を受信することができる。ｅＮＢ１１０はまた、非同期ＨＡＲＱを用いて任意の好適なサブフレーム中で再送信を送ることができる。バックホールアップリンクの場合、中継局１２０は、それぞれ、サブフレーム５、７および９中でｅＮＢ１１０にデータを送ることができ、サブフレーム９、１および３中でＡＣＫ情報を受けることができる。中継局１２０は、中継局１２０にとって利用可能なデータ送信機会とｅＮＢ１１０にとって利用可能なＡＣＫ送信機会とに基づいてｅＮＢ１1０にパケットを送ることができる。いくつかのサブフレームはＡＣＫ送信機会を有しないことがある。ＡＣＫアンドサスペンドプロシージャおよび終端ターゲット選択などの上記で説明した技法は、対応するＡＣＫ送信機会を有しないサブフレームのために使用できる。代替的に、中継局１２０は、第１の送信上の各パケットのターゲット終端の形でｅＮＢ１１０にパケットを送ることができる。第１の送信上で終端しないパケットの場合、中継局１２０は、同期ＨＡＲＱに従って再送信を送ることができる。１つの設計では、中継局１２０は、バックホールサブフレーム中で再送信を送ることができ、アクセスサブフレーム中で再送信をスキップすることができる。ｅＮＢ１１０は、次いで、バックホールサブフレーム中で中継局１２０によって送られた再送信を受けることができる。別の設計では、中継局１２０は、バックホールサブフレーム中とアクセスサブフレーム中の両方で再送信を送ることができる。この設計では、中継局１２０は、アクセスサブフレーム中でＵＥ１３０をリッスンすることをスキップすることができる。さらに別の設計では、中継局１２０は、アップリンク上で非同期ＨＡＲＱを使用することができ、第１の送信のために使用されたインターレースの一部ではないことがある他のバックホールサブフレーム上で再送信を送ることができる。
【００７８】
バックホールリンクとアクセスリンクの両方の場合、データの対応する送信の後に固定数のサブフレーム（たとえば、４個のサブフレーム）中でＡＣＫ情報を送出することができる。これは、バックホールおよびアクセスリンク上でデータを送るために使用され得るサブフレームの数を制限し得る。１つの設計では、ｅＮＢ１１０は、非固定サブフレーム中（たとえば、次のＡＣＫ送信機会中）で中継局１２０にＡＣＫ情報を送出することができる。たとえば、中継局１２０は、サブフレーム１中でｅＮＢ１１０にデータの送信を送ることができ、（サブフレーム５ではなく）サブフレーム６中でこの送信のためのＡＣＫ情報を受けることができる。同様に、中継局１２０は、非固定サブフレーム中（たとえば、次のＡＣＫ送信機会中）でｅＮＢ１１０にＡＣＫ情報を送出することができる。たとえば、ｅＮＢ１１０は、サブフレーム１中で中継局１２０にデータの送信を送ることができ、（サブフレーム５ではなく）サブフレーム６中でこの送信のためのＡＣＫ情報を受けることができる。したがって、中継局１２０との間でＡＣＫ情報を送信／受信するために使用されるサブフレームは、中継局１２０ではなくレガシー／Ｒｅｌｅａｓｅ  ８  ＵＥがスケジュールされていた場合に使用されるであろうサブフレームとは異なることがある。バックホールダウンリンクとアップリンクの両方の場合、中継局１２０（またはｅＮＢ１１０）は、ＡＣＫ情報を送出するための様々なサブフレームの使用を搬送するために、シグナリングを送ることができる。ｅＮＢ１１０（または中継局１２０）は、次いで、示されたサブフレーム中でＡＣＫ情報を受けることができる。
【００７９】
中継局１２０は、バックホールサブフレーム中でＵＥ１３０からデータおよび／またはＡＣＫ情報を受けることを選択することができるが、これらのサブフレーム中でｅＮＢ１１０にデータおよび／またはＡＣＫ情報を送出することができないことがある。中継局１２０は、これを（たとえば、制御チャネルを介して）ｅＮＢ１１０に示すことができ、その結果、ｅＮＢ１１０は、中継局１２０からのデータおよび／またはＡＣＫ情報を待つことができる。ｅＮＢ１１０は、他の手段を通してこれを推測することもできる。たとえば、ｅＮＢ１１０は、それぞれサブフレーム０および５中での中継局１２０からＵＥ１３０へのデータの送信に応答して、中継局１２０がサブフレーム４および９中でＵＥ１３０からのＡＣＫ情報を監視することができることに気づくことができる。中継局１２０は、次いで、他のサブフレーム中でデータおよび／またはＡＣＫ情報を送出することができる。ｅＮＢ１１０が、中継局１２０が中継局１２０のために予約されたバックホールサブフレーム中のリソースを使用しないことに気づいている場合、ｅＮＢ１１０は、利用可能なリソースをより十分に利用するためにこれらのリソース上に他のＵＥをスケジュールすることができる。
【００８０】
別の設計では、バックホールリンクおよびアクセスリンク上の送信および再送信を、８ｍｓのタイムラインを用いて送ることができる。１つまたは複数のインターレースはアクセスリンクのために使用でき、（１つまたは複数の）インターレース中のサブフレームはアクセスサブフレームとすることができる。残りのインターレースは、バックホールリンクのために使用でき、これらのインターレース中のサブフレームはバックホールサブフレームとすることができる。中継局１２０は、ｅＮＢ１１０を効率的にリッスンすることができるようにバックホールサブフレームをＭＢＳＦＮサブフレームまたはブランクサブフレームとして構成することができる。しかしながら、バックホールインターレースのいくつかのサブフレーム中で、中継局１２０は、信号を送信することを強制されることがある。たとえば、サブフレーム０および５中で、中継局１２０は、ＰＳＳ、ＳＳＳなどを送信する必要があり得る。中継局１２０は、これらのバックホールサブフレーム中でＵＥ１３０に送信を送り、それによってこれらのサブフレームをアクセスサブフレームに変換することができる。
【００８１】
一般に、所与の瞬間において所与のインターレース上でただ１つのＨＡＲＱプロセスがアクティブになる。１つの設計では、より多くの処理時間を与えるために複数のＨＡＲＱプロセスを同じインターレース上でインターリーブすることができる。ＨＡＲＱプロセスのこのインターリービングはアクセスリンクとバックホールリンクの両方に適用できる。たとえば、ｅＮＢ１１０は、サブフレーム６中で中継局１２０に第１のダウンリンクＨＡＲＱプロセス上のパケット１を送信することができる。中継局１２０は、次の無線フレームのサブフレーム０中でそのＵＥに送信することを強制されることがあり、ＡＣＫ情報をｅＮＢ１１０に送ることが可能でないことがある。次の無線フレームのサブフレーム４では、ｅＮＢ１１０は、第１のダウンリンクＨＡＲＱプロセス上のパケット１を再送信する代わりに、第２のダウンリンクＨＡＲＱプロセス上の新しいパケット（パケット２）を送信することができる。インターレースは、次いで、第１および第２のダウンリンクＨＡＲＱプロセスのためのパケット間で交替することができる。これにより、ＡＣＫ情報をｅＮＢ１１０へ送るために中継局１２０により多くの時間を与えることができる。ｅＮＢ１１０は、ＮＡＣＫが受信された場合のみパケットを再送信し、したがってリレー動作を改善することができる。
【００８２】
中継局１２０は、アップリンクサブフレームがバックホールリンクのために予約されたインターレースの一部であっても、バックホールリンクのために最初に予約されていたサブフレーム中でダウンリンク送信に対応するＡＣＫ情報を搬送するアップリンクサブフレーム中で、そのＵＥのためのアップリンクデータをスケジュールすることができる。この場合、中継局１２０は、アップリンクサブフレーム中の送信（ならびにダウンリンクデータのためのアップリンクＡＣＫ）を監視することができる。中継局１２０は、バックホールサブフレームがブランクサブフレームとしてマークされているときにＡＣＫの位置がアクセスダウンリンクサブフレームと一致するときのみ、パケットのためのＡＣＫ情報を送出することができる。バックホールサブフレームがＭＢＳＦＮサブフレームとして構成された場合、中継局１２０は、アップリンク送信のためのＡＣＫ情報を送出することができる。
【００８３】
中継局１２０は、８ｍｓのタイムラインの場合でも、各無線フレームのサブフレーム０および５中でＰＳＳとＳＳＳとを送信することができる。所与のサブフレーム０または５がバックホールインターレース上にある場合、中継局１２０は、ｅＮＢ１１０との通信をスキップし、バックホールサブフレーム中でそのＵＥに送信し、それによってこのサブフレームをアクセスサブフレームに変換することができる。この場合、中継局１２０は、サブフレーム中にｅＮＢ１１０から受信することができないことがある。ｅＮＢ１１０が、サブフレーム中で中継局１２０に送るべきＡＣＫ情報を有する場合、ｅＮＢ１１０は、次のバックホールサブフレームまでＡＣＫ情報の送信を遅延させることができる。同様に、中継局１２０が、アクセスリンクのために使用されるアップリンクサブフレーム中でｅＮＢ１１０に送るべきＡＣＫ情報を有する場合、中継局１２０は、次のバックホールサブフレームまでＡＣＫ情報の送信を遅延させることができる。別の設計では、中継局１２０は、バックホールサブフレームであるサブフレーム０および５中でＰＳＳおよびＳＳＳなどの義務づけられた送信をスキップすることができ、代わりに、ｅＮＢ１１０と通信することができる。
【００８４】
１つの設計では、中継局１２０が監視するサブフレーム中でＵＥ１３０がＡＣＫ情報を送信するようにするために、ＡＣＫ反復方式を使用することができる。ＵＥ１３０は、バックホールサブフレーム中で送るべきＡＣＫ情報を有することができる。ＵＥ１３０は、中継局１２０がバックホールリンク上でｅＮＢ１１０と通信する代わりにアクセスリンクを監視する可能性があるこのサブフレーム中でＡＣＫ情報を送出することができる。代替または追加として、ＵＥ１３０は、中継局１２０が監視することになる次のアクセスサブフレーム中でＡＣＫ情報を送出することができる。ＵＥ１３０は、所与のサブフレーム中で複数のパケットのためのＡＣＫ情報、たとえば、現在のサブフレーム中で送るべきＡＣＫ情報ならびに現在のサブフレーム中で繰り返される先行サブフレーム中で送るべきＡＣＫ情報を送出することができる。
【００８５】
５．サブフレームオフセット／周期的制御チャネル
別の態様では、中継局１２０のタイミングは、ｅＮＢ１１０のタイミングから整数個のサブフレームだけオフセットできる。サブフレームオフセットにより、中継局１２０は、そのＵＥにＰＳＳ、ＳＳＳおよびＰＢＣＨを送信し、またｅＮＢ１１０からＰＳＳ、ＳＳＳおよびＰＢＣＨを受信できるようになる。
【００８６】
図１３に、ｅＮＢ１１０と中継局１２０との間のサブフレームタイミングオフセットの設計を示す。中継局１２０のタイミングは、ｅＮＢ１１０のタイミングに対して整数個のサブフレームだけ（たとえば、１個のサブフレームだけ）（図１３に示すように）遅らせるまたは進めることができる。ｅＮＢ１１０は、それぞれ中継局１２０のサブフレーム９および４に対応し得るそのサブフレーム０および５中でＰＳＳ、ＳＳＳ、および場合によってはＰＢＣＨを送信することができる。中継局１２０は、ｅＮＢ１１０からＰＳＳ、ＳＳＳ、および場合によってはＰＢＣＨを受信することができる。中継局１２０は、それぞれｅＮＢ１１０のサブフレーム１および６に対応し得るそのサブフレーム０および５中でＰＳＳ、ＳＳＳ、および場合によってはＰＢＣＨを送信することができる。
【００８７】
図１３に示すように、ｅＮＢ１１０と中継局１２０との間のサブフレームオフセットにより、ｅＮＢサブフレーム０がリレーサブフレームｋと等しくなり、ここで、ｋ≠０である。サブフレームオフセットにより、中継局１２０は、ｅＮＢ１１０からのＰＳＳ、ＳＳＳおよびＰＢＣＨを監視できるようになる。また、サブフレームオフセットにより、ｅＮＢ１１０は、中継局１２０がｅＮＢ１１０を監視することになるサブフレーム中でシステム情報ブロック（ＳＩＢ）をスケジュールすることができるようになる。いくつかの状況では、サブフレームオフセットは、中継局１２０が（たとえば、サブフレームオフセットが可能でないことがあるＴＤＤ動作のために）ＰＳＳ、ＳＳＳ、ＰＢＣＨ、および／またはＳＩＢを受信できるようにするのに十分でないことがある。これらの状況では、中継局１２０がＰＳＳ、ＳＳＳ、ＰＢＣＨ、および／またはＳＩＢを受信できるようにするために、それらを別個のチャネル中で送ることができる。あるいは、中継局１２０は、周期的に離調し（たとえば、ＵＥ１３０にデータを送信せず）、ｅＮＢ１１０からそのような送信を受けることができる。
【００８８】
中継局１２０は、ＵＥ１３０から周期制御チャネルを受信することができ、おおび／またはｅＮＢ１１０に周期制御チャネルを送信することができる。周期制御チャネルは、チャネル品質インジケータ（ＣＱＩ）情報、サウンディング基準信号（ＳＲＳ）などを搬送することができる。ＬＴＥは、現在、周期制御チャネルのために２、５、１０、２０および４０ｍｓの周期性をサポートする。
【００８９】
アクセスリンク上で、中継局１２０は、８ｍｓの周期性をもつサブフレームを監視することができる。周期制御チャネルは、中継局１２０が８ｍｓごとにこれらの制御チャネルを受信できるようにするために、２ｍｓの周期性を用いて送ることができる。あるいは、ＵＥ１３０は、５、１０ｍｓまたは何らかの他の持続時間の周期性をもつ周期制御チャネルを送ることができる。中継局１２０は、ＵＥ１３０から周期制御チャネルを監視するか、または周期制御チャネルがアクセスサブフレームと一致するまで待つことができる。
【００９０】
別の設計では、周期制御チャネルに対して、８ｍｓの周期性、またはＨＡＲＱを用いて送られるデータの何らかの他の整数倍の周期性をサポートすることができる。これにより、中継局１２０は、ＵＥ１３０によって送られた周期制御チャネルの各送信を受信できるようになり、無駄なＵＥ送信を回避することができる。また、これにより、ｅＮＢ１１０は、中継局１２０によって送られた周期制御チャネルの各送信を受信できるようになる。
【００９１】
６．非対称バックホール／アクセス区分
別の態様では、リソースの効率的な使用を可能にするためにバックホールリンクおよびアクセスリンクの非対称ダウンリンク／アップリンク区分を採用することができる。区分は、Ｓ個のサブフレームごとに繰り返し得るパターンに基づくことができ、ここで、Ｓは８、１０などに等しくなり得る。ダウンリンクの場合、Ｓ個のサブフレームは、ＵDLサブフレームがバックホールダウンリンクのために使用され、ＶDLサブフレームがアクセスダウンリンクのための使用されるように区分でき、ここで、Ｓ＝ＵDL＋ＶDLである。アップリンクの場合、Ｓ個のサブフレームは、ＵULサブフレームがバックホールアップリンクのために使用され、ＶULサブフレームがアクセスアップリンクのための使用されるように区分でき、ここで、Ｓ＝ＵUL＋ＶULである。非対称ダウンリンク／アップリンク区分の場合、ＵDL≠ＵULおよびＶDL≠ＶULである。
【００９２】
図１４に、非対称ダウンリンク／アップリンク区分の一例を示す。この例では、Ｓは８に等しく、ダウンリンクのために５：３のバックホール／アクセス区分が使用され、アップリンクのために４：４のバックホール／アクセス区分が使用される。簡単のために、図１４は、５：３のバックホール／アクセスダウンリンク区分の場合の（ｉ）サブフレーム０〜４中のバックホールダウンリンク上でｅＮＢ１１０から受信し、（ｉｉ）サブフレーム５〜７中のアクセスダウンリンク上でＵＥ１３０に送信する中継局１２０を示す。図１４はまた、４：４のバックホール／アクセスアップリンク区分の場合の（ｉ）サブフレーム０〜３中のバックホールアップリンク上でｅＮＢ１１０に送信し、（ｉｉ）サブフレーム５〜７中のアクセスアップリンク上でＵＥ１３０から受信する中継局１２０を示す。図１４に示すように、中継局１２０は、サブフレーム４以外の各サブフレーム中の様々な周波数チャネル上で送信および受信することができ、サブフレーム４中の２個の周波数チャネル上で受信することができる。中継局１２０は、したがって、同じ周波数チャネル上で送信と受信とを同時に行わないという要件に準拠することができる。一般に、バックホールおよびアクセスダウンリンクのために使用されるサブフレームは８個のサブフレームにわたって分散でき、バックホールおよびアクセスアップリンクのために使用されるサブフレームも８個のサブフレームにわたって分散でき、上記で説明した送信／受信要件の対象となる。
【００９３】
ダウンリンクおよびアップリンクのためのバックホール／アクセス区分は様々な方法で判断できる。１つの設計では、各リンクのためのバックホール／アクセス区分をチャネル状態に基づいて判断することができる。たとえば、より悪いチャネル状態をもつリンクのデータ要件を満たすために、そのリンクのためにより多くのサブフレームを使用することができる。あるいは、スループットを改善するために、より良いチャネル状態をもつリンクのためにより多くのサブフレームを使用することができる。別の設計では、各リンクのためのバックホール／アクセス区分は、そのリンクのデータ要件に依存することができ、そのデータ要件は、サービスされているＵＥの数と各ＵＥのデータ要件とに依存することができる。たとえば、ｅＮＢ１１０は多数のＵＥをサービスし得るが、中継局１２０は１つまたは少数のＵＥをサービスし得る。この場合、バックホールダウンリンクおよびアップリンクのためにより多くのサブフレームを使用することができ、アクセスダウンリンクおよびアップリンクのためにより少数のサブフレームを使用することができる。一般に、ダウンリンクおよびアップリンクに対して任意のバックホール／アクセス区分をサポートすることができる。さらに、リンクごとに任意のバックホール／アクセス区分をサポートするためにＭＢＳＦＮサブフレームを使用することができる。ＭＢＳＦＮサブフレームは、中継局１２０による送信の量を減らすことができ、バックホールダウンリンクサブフレーム中でｅＮＢ１１０をリッスンすることをより効率的にすることができる。バックホールリンクのために予約されたＭＢＳＦＮサブフレームも、ＵＥを中継するために制御情報の送信をサポートすることができる。したがって、アクセスリンクの場合、アップリンク送信をスケジュールすることとアップリンク送信のためのＡＣＫ情報を送出することとへの影響が小さくなり得る。ＭＢＳＦＮサブフレームにより、アップリンクおよびダウンリンクサブフレームの非対称区分であっても中継局１２０の効率的な動作が可能になる。
【００９４】
図１４に示す１つの設計では、様々なリンクに様々な数のインターレースを割り振ることによって非対称バックホール／アクセス区分を達成することができる。別の設計では、インターレースのサブサンプリングによって非対称バックホール／アクセス区分を達成することができる。たとえば、所与のインターレース中の偶数番号のサブフレームをバックホールリンクのために使用することができ、インターレース中の奇数番号のサブフレームをアクセスリンクのために使用することができる。中継局１２０は、インターレース中の１つおきのサブフレームのみがアクセスリンクのために利用可能であることを知ることができ、これらの１つおきのサブフレーム中でＵＥ１３０からの送信を受信することが可能である。中継局１２０は、それに応じてＵＥ１３０のための変調および符号化方式を選択することができる。たとえば、中継局１２０は、ＵＥ１３０からの最初の送信の後に終端をターゲッティングすることができる。
【００９５】
非対称区分により、アクセスリンク上でＵＥ１３０をスケジュールするため、および／またはアップリンク送信に対応するＡＣＫ情報を送出するために、中継局１２０は、バックホールリンクのために予約されたサブフレーム中で制御情報を送信することができる。中継局１２０がバックホールリンクのためにＭＢＳＦＮサブフレームを使用する場合、中継局１２０は、任意のサブフレーム中でＵＥ１３０から受信したデータ送信のためのＡＣＫ情報とアップリンク許可などの他の制御情報とを送出することが可能である。この場合、中継局１２０は、中継局１２０によってＭＢＳＦＮサブフレームとしてマークされたバックホールダウンリンクサブフレームの最初の１個または２個のＯＦＤＭシンボル中で制御情報と基準信号とを送信することができ、ｅＮＢ１１０をリッスンするためにサブフレーム中の残りのシンボル期間を使用することができる。また、アップリンクおよび／またはダウンリンクのための新しい制御チャネルを使用して、これらの制御チャネルを受信／送信することが可能なＵＥとの間でＡＣＫ情報、許可および／または他の情報を送出することができる。
【００９６】
バックホールリンクでは、アップリンクおよび／またはダウンリンクの場合、ＡＣＫ情報、許可などを送出するために新しい制御チャネルを使用することができる。新しい制御チャネルは、指定されたサブフレーム中で送出できる（たとえば、ＡＣＫ情報は、サブフレームｔ中で送信されたデータ送信のためにサブフレームｔ＋４中で送出できる）か、または様々なサブフレーム中で送出できる。図１４に示す５：３のバックホール／アクセスダウンリンク区分の場合、追加のバックホールダウンリンクサブフレーム４のためのＡＣＫ情報は、４個のバックホールアップリンクサブフレームのうちの１個中で送出できる。
【００９７】
７．ＴＤＤ中継
ＬＴＥは、ＴＤＤのためのいくつかのダウンリンクアップリンク構成をサポートする。表１に、ＬＴＥ  Ｒｅｌｅａｓｅ  ８によってサポートされるダウンリンクアップリンク構成を記載し、各構成のためのサブフレームの割振りを与える。表１では、「Ｄ」はダウンリンクサブフレームを示し、「Ｕ」はアップリンクサブフレームを示し、「Ｓ」は、図３に示すＤｗＰＴＳフィールドとＧＰフィールドとＵｐＰＴＳフィールドとを備える特殊なサブフレームを示す。
【表１】
0005893668.tif 000002
【００９８】
特定のダウンリンクアップリンク構成を使用のために選択することができる。選択されたダウンリンクアップリンク構成中の利用可能なダウンリンクおよびアップリンクサブフレームは、時分割多重とすることができるバックホールリンクとアクセスリンクとに割り振ることができる。１つの設計では、バックホールサブフレームのためにブランクサブフレームを宣言することができ、その結果、中継局１２０によってサービスされるＵＥは、これらのサブフレーム中で非アクティブになることができる。別の設計では、バックホールサブフレームのためにＭＢＳＦＮサブフレームを使用することができる。
【００９９】
中継局１２０は、サブフレーム０、１、５および６中でＰＳＳ、ＳＳＳ、および場合によってはＰＢＣＨを送信することができる。中継局１２０は、ｅＮＢ１１０に高い干渉を発生することを回避するためにバックホールアップリンクサブフレーム中にアクセスダウンリンク上で送信することを回避することができる。中継局１２０は、ｅＮＢ１１０に高い干渉を発生することにならない場合、たとえば、中継局１２０のためのダウンリンクアンテナビームパターンが、ｅＮＢ１１０をジャミングすることを回避するために十分なＲＦ分離を行うことができる場合、バックホールアップリンクサブフレーム中のアクセスダウンリンク上で送信することができる。中継局１２０はまた、アップリンクの場合にｅＮＢ１１０によって使用されるサブフレーム中でのみそのＵＥに対するアップリンク送信をスケジュールすることができ、その結果、そのＵＥは、ｅＮＢ１１０に送信するＵＥに干渉を発生することを回避することができる。
【０１００】
表２に、上述の制約を満たし、使用のために選択できるいくつかのバックホールアクセス構成を示す。表２では、バックホールアクセス構成ＸまたはＸＹはダウンリンクアップリンク構成Ｘに基づく。Ｙは、構成Ｘのための複数の代替案（利用可能な場合）のうちの１つを示す。表２中の各バックホールアクセス構成について、バックホールリンクに割り振られたサブフレームを陰影付きで示し、アクセスリンクに割り振られたサブフレームを陰影なしで示す。
【表２】
0005893668.tif 000003
【０１０１】
表３に、表２中の各バックホールアクセス構成について各リンクのためのサブフレームの番号を記載する。
【表３】
0005893668.tif 000004
【０１０２】
図１５に、ワイヤレス通信システムにおいてサブフレームタイプ情報をブロードキャストするためのプロセス１５００の設計を示す。複数の無線フレーム（例えば４つの無線フレーム）をカバーするビットマップが発生され得、各無線フレームは複数のサブフレームを備えている（ブロック１５１２）。このビットマップは、複数の無線フレーム内の少なくとも２つのサブフレームを識別できる。このビットマップはＵＥらに送信できる（ブロック１５１４）。１つの設計では、少なくとも２つのタイプのサブフレームは、（ｉ）制限された制御情報および／または制限された基準信号を伴うＭＢＳＦＮサブフレームと、（ｉｉ）制御情報、基準信号、およびデータを伴う正規サブフレームを備えることができる。他の設計では、少なくとも２つのタイプのサブフレームは、（ｉ）送信を伴わないブランクサブフレームと、（ｉｉ）正規サブフレームを備えることができる。その他の設計では、このビットマップは、基地局により発生され、ＵＥらに送信されてもよい。
【０１０３】
図１６に、ワイヤレス通信システムにおいてサブフレームタイプ情報をブロードキャストするための装置１６００の設計を示す。装置１６００は、複数の無線フレームをカバーするビットマップを発生するモジュール１６１２と、このビットマップをＵＥらへ送信するモジュール１６１２を含んでいる。ここで、各無線フレームは複数のサブフレームを備えており、ビットマップは複数の無線フレーム内の少なくとも２つのタイプのサブフレームを識別するようになっている。
【０１０４】
図１７に、ワイヤレス通信システムにおいてチャネル推定または測定を行うためのプロセス１７００の設計を示す。プロセス１７００は、中継局、ＵＥ、あるいはその他のなんらかのエンティティ（entity）で構成できる局によって、実行できる。この局は、第１タイプのサブフレーム（たとえば正規サブフレーム）と、第１タイプとは異なる第２タイプのサブフレーム（たとえばＭＢＳＦＮサブフレームあるいはブランクサブフレーム）を識別するビットマップを受信することができる（ブロック１７１２）。第１タイプのサブフレームおよび第２タイプのサブフレームは、基地局あるいはその他のなんらかの指定されたエンティティにより、指定され得る。この局は、第２タイプのサブフレームを伴い第１タイプのＴＤＭｅｄのサブフレームを受信できる（ブロック１７１４）。この局は、第１タイプのサブフレームに対してチャネル推定あるいは測定を実行できる（ブロック１７１６）。第１タイプのサブフレームは基準信号を含むことができ、この基準信号に基づいて、局は、チャネル推定あるいは測定を実行できる。この局は、第２タイプのサブフレームに対しては、チャネル推定および測定をスキップできる（ブロック１７１８）。
【０１０５】
図１８に、ワイヤレス通信システムにおいてチャネル推定または測定を行うための装置１８００の設計を示す。装置１８００は、モジュール１８１２とモジュール１８１４とモジュール１８１６とモジュール１８１８を含む。モジュール１８１２は、第１タイプのサブフレームおよびこの第１タイプとは異なる第２タイプのサブフレームを識別するビットマップを受信する。モジュール１８１４は、第２タイプのサブフレームを伴い第１タイプのＴＤＭｅｄのサブフレームを受信する。モジュール１８１６は、第１タイプのサブフレームに対してチャネル推定あるいは測定を実行する。そして、モジュール１８１８は、第２タイプのサブフレームに対してはチャネル推定および測定をスキップする。
【０１０６】
図１９に、ワイヤレス通信システムにおいて基準信号への干渉を回避するためのプロセス１９００の設計を示す。プロセス１９００は、基地局、あるいはその他のなんらかのエンティティ（entity）によって、実行できる。基地局は、基準信号を送信するために中継局によって使用されないリソースを識別することができる（ブロック１９１２）。１つの設計では、識別されたリソースは、ＭＢＳＦＮサブフレームのデータ部分内の少なくとも1つのＯＦＤＭシンボルを備えることができる。他の設計では、識別されたリソースは、ＭＢＳＦＮサブフレームのデータ部分内の少なくとも１つのリソースブロックを備えることができる。基地局は、識別されたリソース上で、制御情報および／またはデータを送出できる（ブロック１９１４）。これにより、中継局からの基準信号に対する干渉を回避できる。
【０１０７】
図２０に、ワイヤレス通信システムにおいて基準信号への干渉を回避するための装置２０００の設計を示す。装置２０００は、基準信号を送信するために中継局により使用されないリソースを識別するモジュール２０１２と、識別されたリソース上で基地局により制御情報またはデータもしくはその両方を送出するモジュール２０１４を含んでいる。
【０１０８】
図２１は、ワイヤレス通信システム内で第２の局により第１の局のための通信を促進するプロセス２１００を示す。第２の局は、第１の局のために予約されたサブフレームを判断する（ブロック２１１２）。第２の局は、第１の局が予約されたサブフレーム内の１以上の他局と通信できるようにするために、予約されたサブフレーム内では無送信とすることができる（ブロック２１１４）。１つの設計では、第１の局を中継局とし、第２の局を基地局とし、１以上のその他の局を１以上のＵＥとすることができる。他の設計では、第１の局を基地局とし、第２の局を中継局とし、１以上のその他の局を１以上のＵＥとすることができる。
【０１０９】
図２２は、ワイヤレス通信システム内で第２の局により第１の局のための通信を促進する装置２２００を示す。装置２２００は、第１の局のために予約されたサブフレームを判断するモジュール２２１２と、第１の局が予約されたサブフレーム内の１以上の他局と通信できるようにするために予約されたサブフレーム内での無送信を第２の局により送信するモジュール２２１４を含んでいる。
【０１１０】
図１６、図１８、図２０および図２２のモジュールは、プロセッサ、電子デバイス、ハードウェアデバイス、電子構成要素、論理回路、メモリ、ソフトウェアコード、ファームウェアコードなど、またはそれらの任意の組合せを備えることができる。
【０１１１】
図２３に、基地局／ｅＮＢ１１０、中継局１２０、およびＵＥ１３０の設計のブロック図を示す。基地局１１０は、ダウンリンク上で１つまたは複数のＵＥへの送信を送り出すことができ、アップリンク上で１つまたは複数のＵＥからの送信を受け取ることもできる。簡単のために、ＵＥ１３０のみとの間で送受される送信の処理について、以下で説明する。
【０１１２】
基地局１１０において、送信（ＴＸ）データプロセッサ２３１０は、ＵＥ１３０および他のＵＥへ送られるべきデータのパケットを受信し、選択されたＭＣＳに従って各パケットを処理（たとえば、符号化および変調）してデータシンボルを取得する。ＨＡＲＱの場合、プロセッサ２３１０は、各パケットの複数の送信を生成し、一度に１個の送信を与える。プロセッサ２３１０はまた、制御情報を処理して制御シンボルを取得し、基準信号のための基準シンボルを生成し、データシンボル、制御シンボル、および基準シンボルを多重化する。プロセッサ２３１０はさらに、（たとえば、ＯＦＤＭなどのために）多重化されたシンボルを処理して出力サンプルを生成する。送信機（ＴＭＴＲ）２３１２は、出力サンプルを調整（たとえば、アナログ変換、増幅、フィルタ処理、およびアップコンバート）して、中継局１２０とＵＥとに送信されるダウンリンク信号を生成する。
【０１１３】
中継局１２０において、基地局１１０からのダウンリンク信号が受信され、受信機（ＲＣＶＲ）２３３６に与えられる。受信機２３３６は、受信信号を調整（たとえば、フィルタ処理、増幅、ダウンコンバート、およびデジタル化）し、入力サンプルを与える。受信（ＲＸ）データプロセッサ２３３８は、（たとえば、ＯＦＤＭなどのために）入力サンプルを処理して受信シンボルを取得する。プロセッサ２３３８はさらに、受信シンボルを処理（たとえば、復調および復号）して、ＵＥ１３０に送られる制御情報とデータとを復元する。ＴＸデータプロセッサ２３３０は、基地局１１０がデータシンボルと制御シンボルとを取得するのと同じ方法で、プロセッサ２３３８からの復元されたデータと制御情報とを処理（たとえば、符号化および変調）する。プロセッサ２３３０はまた、基準シンボルを生成し、基準シンボルを用いてデータと制御シンボルとを多重化し、多重化されたシンボルを処理して出力サンプルを取得する。送信機２３３２は、出力サンプルを調整し、ＵＥ１３０に送信されるダウンリンク中継信号を生成する。
【０１１４】
ＵＥ１３０において、基地局１１０からのダウンリンク信号と中継局１２０からのダウンリンク中継信号とは、受信機２３５２によって受信および調整され、ＲＸデータプロセッサ２３５４によって処理されて、ＵＥ１３０に送られる制御情報とデータとを復元する。コントローラ／プロセッサ２３６０は、正しく復号されたパケットのためのＡＣＫ情報を生成する。アップリンク上で送られるべきデータおよび制御情報（たとえば、ＡＣＫ情報）は、ＴＸデータプロセッサ２３５６によって処理され、送信機２３５８によって調整されて、中継局１２０に送信されるアップリンク信号を生成する。
【０１１５】
中継局１２０において、ＵＥ１３０からのアップリンク信号は、受信機２３３６によって受信および調整され、ＲＸデータプロセッサ２３３８によって処理されて、ＵＥ１３０によって送られるデータと制御情報とを復元する。復元されたデータおよび制御情報は、ＴＸデータプロセッサ２３３０によって処理され、送信機２３３２によって調整されて、基地局１１０に送信されるアップリンク中継信号を生成する。基地局１１０において、中継局１２０からのアップリンク中継信号は、受信機２３１６によって受信および調整され、ＲＸデータプロセッサ２３１８によって処理されて、中継局１２０を介してＵＥ１３０によって送られるデータと制御情報とを復元する。コントローラ／プロセッサ２３２０は、ＵＥ１３０からの制御情報に基づいてデータの送信を制御する。
【０１１６】
コントローラ／プロセッサ２３２０、２３４０および２３６０は、それぞれ基地局１１０、中継局１２０、およびＵＥ１３０における動作を指示する。コントローラ／プロセッサ２３２０は、図１５のプロセス１５００、図１９のプロセス１９００、図２１のプロセス２１００、および／または本明細書で説明する技法のための他のプロセスを実行または指示する。コントローラ／プロセッサ２３４０は、プロセス１５００、１７００または２１００および／または本明細書で説明する技法のための他のプロセスを実行または指示する。コントローラ／プロセッサ２３６０は、プロセス１７００または２１００および／または本明細書で説明する技法のための他のプロセスを実行または指示する。メモリ２３２２、２３４２および２３６２は、それぞれ基地局１１０、リレー１２０、およびＵＥ１３０のためのデータとプログラムコードとを記憶する。
【０１１７】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１１８】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１１９】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２０】
本明細書の開示に関して説明する方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【０１２１】
１つまたは複数の例示的な設計では、説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１２２】
本明細書には、参照のため、およびいくつかのセクションの位置を特定するのを助けるために見出しが含まれる。これらの見出しは、その下で説明される概念の範囲を限定するものではなく、これらの概念は、本明細書全体にわたって他のセクションにおいて適用性を有することができる。
【０１２３】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、出願当初の特許請求の範囲に記載された発明を付記する。
［１］  複数の無線フレームをカバーするビットマップを発生すること、ここで各無線フレームは複数のサブフレームを備え、前記ビットマップは前記複数の無線フレーム内で少なくとも２つのタイプのサブフレームを識別する；および
ユーザ機器（ＵＥｓ）へ前記ビットマップを送信すること
を備える、ワイヤレス通信のための方法。
［２］  前記少なくとも２つのタイプのサブフレームが、マルチキャスト／フロードキャスト信号周波数ネットワーク（ＭＢＳＦＮ）サブフレームと正規サブフレームを備える、 ［１］に記載の方法。
［３］  前記少なくとも２つのタイプのサブフレームが、ブランクサブフレームと正規サブフレームを備える、［］に記載の方法。
［４］  前記ビットマップが４つの無線フレームをカバーする、請求項１に記載の方法。
［５］  前記ビットマップは、中継局により発生されて前記ＵＥｓへ送信される、［］に記載の方法。
［６］  前記ビットマップは、基地局により発生されて前記ＵＥｓへ送信される、［］に記載の方法。
［７］  複数の無線フレームをカバーするビットマップを発生する手段、ここで各無線フレームは複数のサブフレームを備え、前記ビットマップは前記複数の無線フレーム内で少なくとも２つのタイプのサブフレームを識別する；および
ユーザ機器（ＵＥｓ）へ前記ビットマップを送信する手段
を具備した、ワイヤレス通信のための装置。
［８］  前記少なくとも２つのタイプのサブフレームが、マルチキャスト／フロードキャスト信号周波数ネットワーク（ＭＢＳＦＮ）サブフレームと正規サブフレームを備える、［７］に記載の装置。
［９］  前記少なくとも２つのタイプのサブフレームが、ブランクサブフレームと正規サブフレームを備える、［７］に記載の装置。
［１０］  前記ビットマップが４つの無線フレームをカバーする、［７］に記載の装置。
［１１］  複数の無線フレームをカバーするビットマップを発生するように構成され、かつユーザ機器（ＵＥｓ）へ前記ビットマップを送信するように構成された少なくとも１つのプロセッサを具備するものであって、各無線フレームが複数のサブフレームを備え、前記ビットマップが前記複数の無線フレーム内で少なくとも２つのタイプのサブフレームを識別するようになっている、ワイヤレス通信のための装置。
［１２］  前記少なくとも２つのタイプのサブフレームが、マルチキャスト／フロードキャスト信号周波数ネットワーク（ＭＢＳＦＮ）サブフレームと正規サブフレームを備える、 ［１１］に記載の装置。
［１３］  前記少なくとも２つのタイプのサブフレームが、ブランクサブフレームと正規サブフレームを備える、［１１］に記載の装置。
［１４］  前記ビットマップが４つの無線フレームをカバーする、［１１］に記載の装置。
［１５］  少なくとも１つのコンピュータに、複数の無線フレームをカバーするビットマップを発生させるためのコード、ここで各無線フレームは複数のサブフレームを備え、前記ビットマップは前記複数の無線フレーム内で少なくとも２つのタイプのサブフレームを識別する、および
前記少なくとも１つのコンピュータに、ユーザ機器（ＵＥｓ）へ前記ビットマップを送信させるためのコード
を備えるコンピュータ可読媒体
を備える、コンピュータプログラム製品。
［１６］  第１タイプのサブフレームに対してチャネル推定あるいは測定を行うこと；および
前記第１タイプとは異なる第２タイプのサブフレームに対してチャネル推定および測定をスキップすること
を備える、ワイヤレス通信のための方法。
［１７］  前記第１タイプのサブフレームと前記第２タイプのサブフレームを識別するビットマップを受信することをさらに備える、［１６］に記載の方法。
［１８］  前記第２タイプのサブフレームに時分割多重化された前記第１タイプのサブフレームを受信することをさらに備える、［１６］に記載の方法。
［１９］  前記第１タイプのサブフレームが基準信号を含み、この基準信号に基づいて前記チャネル推定あるいは測定が行われる、［１６］に記載の方法。
［２０］  前記第１タイプのサブフレームおよび前記第２タイプのサブフレームが基地局により指定される、［１６］に記載の方法。
［２１］  前記第１タイプのサブフレームが正規サブフレームを備え、前記第２タイプのサブフレームがマルチキャスト／フロードキャスト信号周波数ネットワーク（ＭＢＳＦＮ）サブフレームを備える、［１６］に記載の方法。
［２２］  第１タイプのサブフレームに対してチャネル推定あるいは測定を行う手段；および
前記第１タイプとは異なる第２タイプのサブフレームに対してチャネル推定および測定をスキップする手段
を具備した、ワイヤレス通信のための装置。
［２３］  前記第１タイプのサブフレームと前記第２タイプのサブフレームを識別するビットマップを受信する手段をさらに具備した、［２２］に記載の装置。
［２４］  前記第１タイプのサブフレームが基準信号を含み、この基準信号に基づいて前記チャネル推定あるいは測定が行われる、［２２］に記載の装置。
［２５］  基準信号を送信するために中継局で使用されないリソースを識別すること；および
識別されたリソース上で基地局により制御情報、またはデータ、もしくはそれら両方を送出すること
を備える、ワイヤレス通信のための方法。
［２６］  前記識別されたリソースが、マルチキャスト／フロードキャスト信号周波数ネットワーク（ＭＢＳＦＮ）サブフレームのデータ部分内の少なくとも１つの直交周波数分割多重（ＯＦＤＭ）シンボルを備える、［２５］に記載の方法。
［２７］  前記識別されたリソースが、マルチキャスト／フロードキャスト信号周波数ネットワーク（ＭＢＳＦＮ）サブフレームのデータ部分内の少なくとも１つのリソースブロックを備える、［２５］に記載の方法。
［２８］  基準信号を送信するために中継局で使用されないリソースを識別する手段；および
識別されたリソース上で基地局により制御情報、またはデータ、もしくはそれら両方を送出する手段
を具備した、ワイヤレス通信のための装置。
［２９］  前記識別されたリソースが、マルチキャスト／フロードキャスト信号周波数ネットワーク（ＭＢＳＦＮ）サブフレームのデータ部分内の少なくとも１つの直交周波数分割多重（ＯＦＤＭ）シンボルを備える、［２８］に記載の装置。
［３０］  前記識別されたリソースが、マルチキャスト／フロードキャスト信号周波数ネットワーク（ＭＢＳＦＮ）サブフレームのデータ部分内の少なくとも１つのリソースブロックを備える、［２８］に記載の装置。
［３１］  第１の局のために予約されたサブフレームを判断し；および
前記第１の局が前記予約されたサブフレーム内の１以上の他局と通信できるように、第２の局により前記予約されたサブフレーム内で無送信を送出する
を備える、ワイヤレス通信のための方法。
［３２］  前記第１の局が中継局であり、前記第２の局が基地局であり、前記１以上の他局が１以上のユーザ機器（ＵＥｓ）である、［３１］に記載の方法。
［３３］  前記第１の局が基地局であり、前記第２の局が中継局であり、前記１以上の他局が１以上のユーザ機器（ＵＥｓ）である、［３１］に記載の方法。
［３４］  第１の局のために予約されたサブフレームを判断する手段；および
前記第１の局が前記予約されたサブフレーム内の１以上の他局と通信できるように、第２の局により前記予約されたサブフレーム内で無送信を送出する手段
を具備した、ワイヤレス通信のための装置。
［３５］  前記第１の局が中継局であり、前記第２の局が基地局であり、前記１以上の他局が１以上のユーザ機器（ＵＥｓ）である、［３４］に記載の装置。
［３６］  前記第１の局が基地局であり、前記第２の局が中継局であり、前記１以上の他局が１以上のユーザ機器（ＵＥｓ）である、［３４］に記載の装置。
【図１】
0005893668.tif 000005
【図２】
0005893668.tif 000006
【図３】
0005893668.tif 000007
【図４】
0005893668.tif 000008
【図５】
0005893668.tif 000009
【図６】
0005893668.tif 000010
【図７Ａ】
0005893668.tif 000011
【図７Ｂ】
0005893668.tif 000012
【図８】
0005893668.tif 000013
【図９】
0005893668.tif 000014
【図１０】
0005893668.tif 000015
【図１１】
0005893668.tif 000016
【図１２】
0005893668.tif 000017
【図１３】
0005893668.tif 000018
【図１４】
0005893668.tif 000019
【図１５】
0005893668.tif 000020
【図１６】
0005893668.tif 000021
【図１７】
0005893668.tif 000022
【図１８】
0005893668.tif 000023
【図１９】
0005893668.tif 000024
【図２０】
0005893668.tif 000025
【図２１】
0005893668.tif 000026
【図２２】
0005893668.tif 000027
【図２３】
0005893668.tif 000028